(57)【特許請求の範囲】
【請求項１】
デジタルビットの第１シーケンスの第１送信パターンを含む、電磁気の第１の送信された信号を、分離距離によって送信アンテナから分離されるターゲットオブジェクトへと送信する工程；
ターゲットオブジェクトから反射される電磁気の第１の送信された信号の第１エコーを受信する工程；
第１エコーを第１のデジタル化されたエコー信号に変換する工程；および
電磁気の第１の送信された信号とエコーのフライトの時間を決定するために、デジタルビットの第２シーケンスの第１受信パターンを、第１のデジタル化されたエコー信号と比較する工程を含み、
第１受信パターンを比較する工程は、サブセットに対する相関値を計算するために、第１受信パターンのデジタルビットのシーケンスを、第１のデジタル化されたエコー信号のサブセットに一致させる工程を含み、該相関値は、第１受信パターンにおけるデジタルビットのシーケンスと、第１のデジタル化されたエコー信号のサブセットとの間の一致の程度を表わすことを特徴とする、方法。
【請求項２】
フライトの時間に基づいてターゲットオブジェクトに対する分離距離を計算する工程をさらに含むことを特徴とする、請求項１に記載の方法。
【請求項３】
電磁気の第１の送信された信号を形成するために、発振信号を生成し、発振信号の少なくとも第１の部分を第１送信パターンと混合する工程をさらに含むことを特徴とする、請求項１に記載の方法。
【請求項４】
第１エコーを第１のデジタル化されたエコー信号に変換する工程は、発振信号の少なくとも第２の部分を、ターゲットオブジェクトから受信された第１エコーに基づくエコー信号と混合する工程を含むことを特徴とする、請求項３に記載の方法。
【請求項５】
第１のデジタル化されたエコー信号のサブセットの少なくとも１つは、相関値に基づいた対象のサブセットとして識別され、フライトの時間は、送信された信号の送信と、対象のサブセットの発生との間の時間遅延に基づいて決定されることを特徴とする、請求項１に記載の方法。
【請求項６】
第１受信パターンを比較する工程は、サブセットに対する第１相関値を計算するために、第１受信パターンのデジタルビットのシーケンスを、第１のデジタル化されたエコー信号の同相（Ｉ）の成分のサブセットに一致させる工程、およびサブセットに対する第２相関値を計算するために、第１受信パターンのデジタルビットのシーケンスを、第１のデジタル化されたエコー信号の直角位相（Ｑ）の成分のサブセットに一致させる工程を含み、第１および第２の相関値は、第１受信パターンにおけるデジタルビットのシーケンスと、第１のデジタル化されたエコー信号のＩおよびＱの成分との間の一致の程度を表わすことを特徴とする、請求項１に記載の方法。
【請求項７】
第１のデジタル化されたエコー信号のＩの成分のサブセットの少なくとも１つは、相関値に基づいた対象の第１サブセットとして識別され、第１のデジタル化されたエコー信号のＱの成分のサブセットの少なくとも１つは、相関値に基づいた対象の第２サブセットとして識別され、およびフライトの時間は、送信された信号の送信と、対象の第１サブセットの発生との間の第１の時間遅延、および送信された信号の送信と、対象の第１サブセットの発生との間の異なる第２の時間遅延に基づいて決定されることを特徴とする、請求項６に記載の方法。
【請求項８】
デジタルビットの第２シーケンスの第２送信パターンを含む、電磁気の第２の送信された信号をターゲットオブジェクトへと送信する工程；
ターゲットオブジェクトから反射される電磁気の第２の送信された信号の第２エコーを受信する工程；
第２エコーを第２のデジタル化されたエコー信号に変換する工程；および
第２のベースバンドエコー信号の１つ以上の波形と、第２受信パターンの１つ以上の波形との間の一時的な不整合を決定するために、デジタルビットの第３シーケンスの第２受信パターンを、第２のベースバンドエコー信号と比較する工程であって、該一時的な不整合が、第２受信パターンと第２のベースバンドエコー信号との間の時間の遅れを表わす工程、をさらに含むことを特徴とする、請求項１に記載の方法。
【請求項９】
時間の遅れをフライトの時間に加える工程をさらに含むことを特徴とする、請求項８に記載の方法。
【請求項１０】
第２エコーを第２のデジタル化されたエコー信号に変換する工程は、第２のデジタル化されたエコー信号の同相（Ｉ）のチャネルおよび第２のデジタル化されたエコー信号の直角位相（Ｑ）のチャネルを形成する工程、および第２受信パターンを比較する工程は、一時的な不整合のＩの成分を決定するために、第２受信パターンのＩのチャネルを、第２のデジタル化されたエコー信号のＩのチャネルと比較し、一時的な不整合のＱの成分を決定するために、第２受信パターンのＱのチャネルを、第２のデジタル化されたエコー信号のＱのチャネルと比較する工程を含むことを特徴とする、請求項８に記載の方法。
【請求項１１】
フライトの時間に加えられる時間の遅れは、一時的な不整合のＩの成分および一時的な不整合のＱの成分を含むことを特徴とする、請求項１０に記載の方法。
【請求項１２】
第１エコーおよび第２エコーの相を検査するために一時的な不整合のＩの成分および一時的な不整合のＱの成分を検査する工程をさらに含み、ここで、フライトの時間は、前記相に基づいて計算されることを特徴とする、請求項１１に記載の方法。
【請求項１３】
第１送信パターン、第１受信パターン、第２送信パターン、または第２受信パターンの少なくとも２つは、互いに異なることを特徴とする、請求項１１に記載の方法。
【請求項１４】
第１送信パターン、第１受信パターン、第２送信パターン、または第２受信パターンの少なくとも２つは、デジタルビットの共通のシーケンスを含むことを特徴とする、請求項８に記載の方法。
【請求項１５】
分離距離によって送信アンテナから分離されるターゲットオブジェクトへと通信される、デジタルビットのシーケンスの第１送信パターンを含む、電磁気の第１の送信された信号を生成するように構成された、送信機；
ターゲットオブジェクトから反射される電磁気の第１の送信された信号のエコーに基づく第１のデジタル化されたエコー信号を生成するように構成された、受信機；および
電磁気の第１の送信された信号とエコーのフライトの時間を決定するために、デジタルビットの第２シーケンスの第１受信パターンを、第１のデジタル化されたエコー信号と比較するように構成された、相関装置、を含み、
相関装置は、サブセットに対する相関値を計算するために、第１受信パターンのデジタルビットのシーケンスを、第１のデジタル化されたエコー信号のサブセットと比較するように構成され、該相関値は、第１受信パターンと第１のデジタル化されたエコー信号のデジタルビットとの間の一致の程度を表わすことを特徴とする、システム。
【請求項１６】
ベースバンドプロセッサーは、フライトの時間に基づいてターゲットオブジェクトに対する分離距離を計算するように構成されることを特徴とする、請求項１５に記載のシステム。
【請求項１７】
発振信号を生成するように構成された発振装置をさらに含み、ここで、送信機は、電磁気の第１の送信された信号を形成するために、発振信号の少なくとも第１の部分を第１送信パターンと混合するように構成されることを特徴とする、請求項１５に記載のシステム。
【請求項１８】
受信機は、発振信号の少なくとも第２の部分を受信するように、および第１のデジタル化されたエコー信号を作成するために、発振信号の少なくとも第２の部分をエコーを表わすエコー信号と混合するように構成されることを特徴とする、請求項１７に記載のシステム。
【請求項１９】
第１のデジタル化されたエコー信号のサブセットの少なくとも１つは、相関値に基づいた対象のサブセットとして相関装置によって識別され、フライトの時間は、電磁気の第１の送信された信号の送信と、第１のデジタル化されたエコー信号における対象のサブセットの発生との間の時間遅延に基づいて決定されることを特徴とする、請求項１５に記載のシステム。
【請求項２０】
送信機は、デジタルビットの第２シーケンスの第２送信パターンを含む、電磁気の第２の送信された信号をターゲットオブジェクトへと送信するように構成され、受信機は、ターゲットオブジェクトから反射される電磁気の第２の送信された信号の第２エコーに基づいた第２のベースバンドエコー信号を作成するように構成され、およびベースバンドプロセッサーは、第２のベースバンドエコー信号の１つ以上の波形と、第２受信パターンの１つ以上の波形との間の一時的な不整合を決定するために、デジタルビットの第３シーケンスの第２受信パターンを、第２のベースバンドエコー信号と比較するように構成され、該一時的な不整合が、第２受信パターンと、フライトの時間に加えられる第２のベースバンドエコー信号との間の時間の遅れを表わすことを特徴とする、請求項１５に記載のシステム。
【請求項２１】
受信機は、第２のデジタル化されたエコー信号の同相（Ｉ）のチャネルおよび第２のベースバンドエコー信号の直角位相（Ｑ）のチャネルを形成するように構成され、システムは、一時的な不整合のＩの成分を決定するために、第２受信パターンの第２のＩチャネルを、第２のベースバンドエコー信号のＩチャネルと比較するように構成された、ベースバンド処理システムをさらに含み、該ベースバンド処理システムはまた、一時的な不整合のＱの成分を決定するために、第２受信パターンの第２のＱチャネルを、第２のベースバンドエコー信号のＱチャネルと比較するように構成されることを特徴とする、請求項１５に記載のシステム。
【請求項２２】
フライトの時間に加えられる時間の遅れは、一時的な不整合のＩの成分および一時的な不整合のＱの成分を含むことを特徴とする、請求項２１に記載のシステム。
【請求項２３】
ベースバンド処理システムは、一時的な不整合のＩの成分および一時的な不整合のＱの成分に基づいた第１エコーおよび第２エコーの相を検査するように構成され、フライトの時間は、検査される相に基づいて計算されることを特徴とする、請求項２２に記載のシステム。
【請求項２４】
相関装置は、サブセットに対する第１相関値を計算するために、第１受信パターンのデジタルビットのシーケンスを、第１のデジタル化されたエコー信号の同相（Ｉ）のチャネルのサブセットと比較するように、およびサブセットに対する第２相関値を計算するために、デジタルビットのシーケンスを、第１のデジタル化されたエコー信号の直角位相（Ｑ）のチャネルのサブセットと比較するように構成され、第１および第２の相関値は、第１受信パターンと、第１のデジタル化されたエコー信号のデジタルビットとの間の一致の程度を表わすことを特徴とする、請求項１５に記載のシステム。
【請求項２５】
第１のデジタル化されたエコー信号のＩチャネルにおけるサブセットの少なくとも１つおよび第１のデジタル化されたエコー信号のＱチャネルにおけるサブセットの少なくとも１つは、相関値に基づいた対象のサブセットとして相関装置によって識別され、フライトの時間は、電磁気の第１の送信された信号の送信と、第１のデジタル化されたエコー信号のＩおよびＱのチャネルにおける対象のサブセットの発生との間の時間遅延に基づいて決定されることを特徴とする、請求項２４に記載のシステム。
【請求項２６】
デジタルビットの第１送信パターンを表わす波形を有する第１の送信された信号を送信する工程；
第１の送信された信号の第１の受信されたエコーに基づく、デジタルビットのデータストリームを表わす波形を含む、第１のデジタル化されたエコー信号を生成する工程；
１つ以上の他のサブセットよりも第１受信パターンに密接に一致する対象のサブセットを識別するために、デジタルビットの第１受信パターンを、第１のデジタル化されたエコー信号におけるデジタルビットのデータストリームの複数の異なるサブセットと比較する工程；および
第１のデジタル化されたエコー信号におけるデータストリームの開始と対象のサブセットとの間の時間遅延に基づいて、第１の送信された信号と第１受信エコーのフライトの時間を識別する工程、を含む方法。
【請求項２７】
デジタルビットの第２送信パターンを表わす波形を有する第２の送信された信号を送信する工程；
第２の送信された信号の第２の受信したエコーに基づく、デジタルビットのデータストリームを表わす波形を含む、第２のベースバンドエコー信号の同相（Ｉ）の成分および第２のベースバンドエコー信号の直角位相（Ｑ）の成分を生成する工程；
デジタルビットのシーケンスを表わす波形の、対象のサブセットの時間遅延によって第２の送信された信号の送信の時間から遅延した、第２受信パターンを、第２のベースバンドエコー信号と比較する工程であって、ここで、第２受信パターンの同相（Ｉ）の成分は、第２受信パターンと第２のベースバンドエコー信号との間の第１の一時的な不整合を識別するために、第２のベースバンドエコー信号のＩの成分と比較され、第２受信パターンの直角位相（Ｑ）の成分は、第２受信パターンと第２のベースバンドエコー信号との間の第２の一時的な不整合を識別するために、第２のベースバンドエコー信号のＱの成分と比較される工程；および
第１および第２の一時的な不整合によってフライトの時間を増加させる工程、をさらに含むことを特徴とする、請求項２６に記載の方法。
【請求項２８】
第１または第２の一時的な不整合の１つ以上の変化に基づいて、ターゲットオブジェクトの分離距離、フライトの時間または運動を識別する工程をさらに含むことを特徴とする、請求項２７に記載の方法。
【請求項２９】
デジタルビットの第１受信パターンを、第１のデジタル化されたエコー信号におけるデジタルビットのデータストリームのサブセットと比較する工程は、第１の対象のサブセットを識別するために、第１受信パターンを、第１のデジタル化されたエコー信号の同相（Ｉ）のチャネルのサブセットと比較し、第１受信パターンを、第２のデジタル化されたエコー信号の直角位相（Ｑ）のチャネルのサブセットと比較する工程を含み、ここで、フライトの時間は、第１のデジタル化されたエコー信号のＩチャネルのデータストリームの開始と、対象の第１サブセットとの間、および第１のデジタル化されたエコー信号のＱチャネルのデータストリームの開始の間の時間遅延に基づいている、ことを特徴とする、請求項２６に記載の方法。
【請求項３０】
第１送信パターンは、第１受信パターンとは異なることを特徴とする、請求項２６に記載の方法。
【発明の詳細な説明】
【技術分野】
【０００１】
＜関連出願への相互参照＞
本出願は、２０１１年２月２１日に出願の、米国仮出願第６１／４４５，０２６号（「’０２６出願」）および２０１１年８月９日に出願の、米国仮出願第６１／５２１，３７８号（「’３７８出願」）の優先権の利益を主張する。’０２６出願および’３７８出願の全開示は、引用によって組み込まれる。
【背景技術】
【０００２】
本明細書に記載される主題の１つ以上の実施形態は、レーダーおよび／または光学式リモートセンシングシステムおよび方法などの、距離および／または運動を感知するシステムおよび方法に関する。
【０００３】
既知のレーダーシステムは、アナログ電磁波をターゲットへと送信し、ターゲットから反射する波のエコーを受信する。アナログを送信するアンテナとターゲットオブジェクトとの間の距離、および／またはターゲットオブジェクトの移動に基づいて、受信したエコーの強度および／または周波数は変わり得る。エコーの強度、周波数、および／またはフライトの時間（ｔｉｍｅ−ｏｆ−ｆｌｉｇｈｔ）は、ターゲットに対する距離および／またはターゲットの移動を導き出すために使用され得る。
【０００４】
いくつかの既知のレーダーシステムは、システムがターゲットに対する距離を測定することができる精度において限定される。例えば、これらのシステムがターゲットに対する距離を計算することが可能であり得る解像度は、比較的大きく成り得る。その上、これらのシステムのいくつかは、システムが波を送信するか、またはエコーを受信する時に制御する、送信／受信スイッチなどの、回路を有し得る。スイッチは、システムが波の送信からエコーの受信に切り替えることを可能にするために、非零期間（ｎｏｎ−ｚｅｒｏ ｐｅｒｉｏｄ ｏｆ ｔｉｍｅ）を必要とし得る。システムが送信から受信に切り替わり得る前に、送信された波が、ターゲットから反射し、受信アンテナに戻り得るため、この期間は、システムが、比較的接近しているターゲットに対する距離を測定するために使用されるのを防ぎ得る。さらに、いくつかの既知のシステムは、送信アンテナから受信アンテナまでのエネルギー漏洩を有する。このエネルギー漏洩は、ターゲットに対する距離の測定および／または運動の検出を妨害するおよび／または不明瞭にし得る。
【発明の概要】
【課題を解決するための手段】
【０００５】
１つの実施形態では、方法（例えばターゲットオブジェクトに対する分離距離を測定するための方法）が提供される。方法は、電磁気の第１の送信された信号（以下、「第１の送信された信号」とも言う）を、分離距離によって送信アンテナから分離されるターゲットオブジェクトへと送信する工程を含む。第１の送信された信号は、デジタルビットの第１シーケンスを表わす第１送信パターンを含む。方法はまた、ターゲットオブジェクトから反射される第１の送信された信号の第１エコーを受信する工程、第１エコーを第１のデジタル化されたエコー信号に変換する工程、および第１の送信された信号とエコーのフライトの時間を決定するために、デジタルビットの第２シーケンスを表わす第１受信パターンを、第１のデジタル化されたエコー信号と比較する工程を含む。
【０００６】
別の実施形態では、システム（例えば、感知システム）は、送信機、受信機、および相関装置を含んで提供される。送信機は、分離距離によって送信アンテナから分離されるターゲットオブジェクトへと通信される電磁気の第１の送信された信号を生成するように構成される。第１の送信された信号は、デジタルビットのシーケンスを表わす第１送信パターンを含む。受信機は、ターゲットオブジェクトから反射される第１の送信された信号のエコーに基づく、第１のデジタル化されたエコー信号を生成するように構成される。相関装置は、第１の送信された信号とエコーのフライトの時間を決定するために、デジタルビットの第２シーケンスを表わす第１受信パターンを、第１のデジタル化されたエコー信号と比較するように構成される。
【０００７】
別の実施形態では、（例えば、ターゲットオブジェクトに対する分離距離を測定するための）別の方法が提供される。方法は、デジタルビットの第１送信パターンを表わす波形を有する第１の送信された信号を送信する工程、および第１の送信された信号の第１の受信されたエコーに基づく、第１のデジタル化されたエコー信号を生成する工程を含む。第１のデジタル化されたエコー信号は、デジタルビットのデータストリームを表わす波形を含む。方法はまた、１つ以上の他のサブセットよりも第１受信パターンに密接に一致する対象のサブセットを識別するために、デジタルビットの第１受信パターンを、第１のデジタル化されたエコー信号におけるデジタルビットのデータストリームの複数の異なるサブセットと比較する工程を含む。方法はさらに、第１のデジタル化されたエコー信号におけるデータストリームの開始と対象のサブセットとの間の時間遅延に基づいて、第１の送信された信号と第１受信エコーのフライトの時間を識別する工程を含む。
【図面の簡単な説明】
【０００８】
本主題は、添付の図面を参照して、限定しない実施形態の以下の記載を参照することで一層よく理解されるであろう。
【０００９】
【図１】図１は、感知システムの１つの実施形態の概略図である。
【図２】図２は、図１に示される感知装置の１つの実施形態の概略図である。
【図３Ａ】図３Ａは、１つの実施形態による、送信された信号および対応するエコーのためのフライトの時間の粗い（ｃｏａｒｓｅ）ステージ決定の概略図である。
【図３Ｂ】図３Ｂは、１つの実施形態による、送信された信号および対応するエコーのためのフライトの時間の粗いステージ決定の別の概略図である。
【図４】図４は、図１に示されるいくつかの送信された信号にわたって計算される且つ平均される相関値の１つの例を示す。
【図５】図５は、図２に示される感知アセンブリの一部分または１つの実施の別の概略図である。
【図６】図６は、図２に示される感知アセンブリのフロントエンドの１つの実施形態の概略図である。
【図７】図７は、図１に示されるシステムのベースバンド処理システムの１つの実施形態の回路図である。
【図８】図８は、比較デバイスが、１つの実施形態において、図２に示されるベースバンドのエコー信号の対象のビットを、どのように図２に示されるパターン信号のパターンビットと比較するかの１つの例の概略図である。
【図９】図９は、図７に示される比較デバイスが、図２に示されるベースバンドのエコー信号の対象のビットを、どのように図２に示されるパターン信号のパターンビットと比較するかの別の例を示す。
【図１０】図１０は、図７に示される比較デバイスが、図２に示されるベースバンドのエコー信号の対象のビットを、どのように図２に示されるパターン信号のパターンビットと比較するかの別の例を示す。
【図１１】図１１は、１つの例による、図７に示される測定デバイスによって提供される図７に示される出力信号および図２に示されるＣＰＵデバイスによって使用されるエネルギー閾値の例を示す。
【図１２】図１２は、図１に示されるシステムのベースバンド処理システムの別の実施形態の回路図である。
【図１３】図１３は、１つの実施形態による、図２に示されるデジタル化されたエコー信号の同相（Ｉ）および直角位相（Ｑ）の成分の投影図を示す。
【図１４】図１４は、１つの実施形態による、図１に示される異なるターゲットオブジェクト（１０４）から反射される図１に示されるエコーを識別するための技術を示す。
【図１５】図１５は、１つの実施形態による、アンテナの概略図である。
【図１６】図１６は、図１に示される感知アセンブリのフロントエンドの１つの実施形態の概略図である。
【図１７】図１７は、図１６のライン１７−１７に沿った図１５に示されるアンテナの１つの実施形態の断面図である。
【図１８】図１８は、格納システムの１つの実施形態を示す。
【図１９】図１９は、領域制限システムの１つの実施形態を示す。
【図２０】図２０は、容積制限システムの別の実施形態を示す。
【図２１】図２１は、可動システムの１つの実施形態の概略図である。
【図２２】図２２は、１つの実施例による、いくつかの物体の運動ベクトルの概略図である。
【図２３】図２３は、医療用の図１に示される感知アセンブリを使用する１つの例の概略図である。
【図２４】図２４は、図１に示されるシステムの適用の１つの例による、ヒト被験体の二次元画像である。
【図２５】図２５は、感知システムの別の実施形態の概略図である。
【図２６】図２６は、感知システムの別の実施形態の概略図である。
【図２７Ａ】図２７Ａは、ターゲットオブジェクトからの分離距離および／またはターゲットオブジェクトの運動を感知するための方法の１つの実施形態を示す。
【図２７Ｂ】図２７Ｂは、ターゲットオブジェクトからの分離距離および／またはターゲットオブジェクトの運動を感知するための方法の１つの実施形態を示す。
【図２８】図２８は、別の実施形態による、感知システムの概略図である。
【図２９】図２９は、図２８に示される感知システムによって得られるターゲットオブジェクトの横方向サイズのデータを表わす概略図である。
【図３０】図３０は、図２８および２９に示される感知アセンブリおよびターゲットオブジェクトの別の図である。
【発明を実施するための形態】
【００１０】
本発明に記載される本主題の１つ以上の実施形態によると、システムおよび方法は、感知装置と１つ以上のターゲットとの間の距離を測定するために提供される。距離は、ターゲットから反射する送信された信号（例えば、レーダー、光、または他の信号）のフライトの時間を測定することによって決定され得る。１つの例として、既知の又は指定された送信パターン（ビットのシーケンスを表わす波形など）を含む信号が送信され、この信号のエコーが受信される。この送信パターンは、粗いステージ送信パターンとして言及することができる。エコーは、送信された信号におけるパターンを表わす情報を含み得る。例えば、エコーは、ノイズ、ターゲット以外の１つ以上のオブジェクトからの送信された信号の部分反射、およびターゲットからの反射を表わすデータのシーケンスまたはストリームを識別するために受信され、デジタル化され得る。
【００１１】
粗いステージ受信パターンは、送信された信号のフライトの時間を決定するために、受信エコーに基づくデジタル化されたデータストリームと比較することができる。粗いステージ受信パターンは、送信パターンと同じであり得るか、またはビット（例えば「０」および「１」）の異なる長さおよび／またはシーケンスを有することによって、送信パターンとは異なり得る。粗いステージ受信パターンは、どのデータストリームの部分が、１つ以上の他の部分よりも密接に一致するかを決定するために、デジタル化されたデータストリームの異なる部分と比較される。例えば、粗いステージ受信パターンは、粗いステージ受信パターンと一致するデータストリームの一部を識別するために、データストリームに沿って、（例えば時間に関して）変更され得る。データストリームの開始と粗いステージ受信パターンの一致する部分との間の時間遅延は、送信された信号のフライトの時間を表わし得る。フライトの時間のこの測定は、ターゲットに対する分離距離を計算するために使用され得る。下記に記載されるように、フライトの時間を測定するためのこのプロセスは、フライトの時間の粗いステージ決定として言及され得る。粗いステージ決定は、フライトの時間を測定するために、一回または数回行われ得る。例えば、送信された信号の単一の「バースト（ｂｕｒｓｔ）」が、フライトの時間を測定するために使用され得るか、または（同じまたは異なる送信パターンを有する）送信された信号のいくつかの「バースト」が使用され得る。
【００１２】
微細な（ｆｉｎｅ）ステージ決定は、粗いステージ決定に加えてまたは代わって行われ得る。微細なステージ決定は、１つ以上の追加信号（例えば「バースト」）をターゲットへと送信する工程、および信号の受信されたエコーに基づいたベースバンドのエコー信号を生成する工程を含むことができる。追加信号は、粗いステージ送信パターンと同じかまたは異なるパターンである、微細なステージ送信パターンを含み得る。微細なステージ決定は、粗いステージ決定によって（あるいはオペレーターによる入力として）測定されたフライトの時間を使用することができ、測定されたフライトの時間によって遅延される微細なステージ受信パターンを、データストリームの対応する部分と比較する。例えば、ベースバンドのエコー信号のすべてまたはかなりの部分にわたって微細なステージ受信パターンを変更する代わりに、微細なステージ受信パターン（またはその部分）は、粗いステージ決定によって測定される時間遅延に等しいまたは基づく量によって時間を変更され得る。あるいは、微細なステージ受信パターンは、ベースバンドのエコー信号のすべてまたはかなりの部分にわたって変更され得る。時間を変化された微細なステージ受信パターンは、重複（ｏｖｅｒｌａｐ）の量、または代わりに、時間をシフトされた微細なステージ受信パターンとベースバンドのエコー信号との波形間の不一致（ｍｉｓｍａｔｃｈ）の量を決定するために、ベースバンドのエコー信号と比較することができる。重複または不一致のこの量は、追加の時間遅延に変換され得る。追加の時間遅延は、微細なステージの時間遅延を計算するために、粗いステージ決定によって測定された時間遅延が加えられ得る。微細なステージの時間遅延は、その後、ターゲットに対するフライトの時間および分離距離を計算するために使用され得る。
【００１３】
１つの実施形態では、超微細な（ｕｌｔｒａｆｉｎｅ）ステージ決定が、粗いステージ決定および／または微細なステージ決定に加えてまたは代わって行われ得る。超微細なステージ決定は、微細なステージ決定としてではあるが、受信パターンおよび／またはデータストリームの異なる成分を使用して、類似したプロセスに関係し得る。例えば、微細なステージ決定は、受信パターンとデータストリームとの間の重複または不一致を測定するために、受信パターンとデータストリームの同相（Ｉ）の成分またはチャネルを検査し得る。超微細なステージ決定は、受信パターンとデータストリームとの波形間の重複および不一致の追加の量を測定するために、受信パターンとデータストリームの直角位相（Ｑ）の成分またはチャネルを使用することができる。代わりに、超微細なステージ決定は、受信パターンとデータストリームのＩチャネルおよびＱチャネルを別々に検査し得る。Ｉ及びＱのチャネルまたは成分の使用は、１つの例の実施形態として提供される。代わりに、１つ以上の他のチャネルまたは成分が使用され得る。例えば、第１の成分またはチャネルおよび第２の成分またはチャネルは、９０度以外の量によって互いに対して相を変更される場合に使用され得る。
【００１４】
超微細なステージ決定によって計算された重複または不一致の量は、ターゲットに対するフライトの時間および／または分離距離を決定するために、粗いステージおよび／または微細なステージからの時間遅延に加えることができる追加の時間遅延を計算するために使用することができる。代わりにまたは加えて、ＩチャネルとＱチャネルとの波形間の重複または不一致の量は、ターゲットの運動を検出するために、エコーの相を分解するために検査され得る。
【００１５】
代わりにまたは加えて、超微細なステージ決定は、粗いステージ決定と類似したプロセスに関係し得る。例えば、粗いステージ決定は、本明細書に記載されるように、データストリームの異なるサブセットの相関値を決定するために、およびこれらの相関値から、対象のサブセットおよび対応するフライトの時間を決定するために、受信パターンとデータストリームのＩチャネルを検査し得る。超微細なステージ決定は、データストリームの異なるサブセットの相関値を決定するために、およびこれらの相関値から、対象のサブセットおよびフライトの時間を決定するために、受信パターンとデータストリームのＱチャネルを使用することができる。ＩチャネルおよびＱチャネルからのフライトの時間は、ターゲットに対するフライトの時間および／または分離距離を計算するために組み合わせる（例えば、平均する）ことができる。超微細なステージ決定によって計算された相関値は、ターゲットに対するフライトの時間および／または分離距離を決定するために、粗いステージおよび／または微細なステージからの時間遅延に加えることができる追加の時間遅延を計算するために使用することができる。あるいはまたは加えて、ＩチャネルとＱチャネルとの波形の相関値は、ターゲットの分離距離または運動を計算するために、エコーの相を分解するように検査することができる。
【００１６】
粗い、微細な、および超微細なステージ決定は、独立して（例えば、他のステージの１つ以上を行わずに）および／または一緒に行われ得る。微細なおよび超微細なステージ決定は、平行して（例えば、Ｉチャネルを検査する微細なステージ決定およびＱチャネルを検査する超微細なステージ決定とともに）、または連続して（例えば、ＩチャネルおよびＱチャネルの両方を検査する超微細なステージ決定とともに）行われ得る。粗いおよび超微細なステージ決定は、平行して（例えば、Ｉチャネルを検査する粗いステージ決定およびＱチャネルを検査する超微細なステージ決定とともに）、または連続して（例えば、ＩチャネルおよびＱチャネルの両方を検査する超微細なステージ決定とともに）行われ得る。
【００１７】
１つの実施形態では、受信パターンマスクは、データストリームの１つ以上の部分またはセグメントを取り除く（例えば、マスクを外す）ために、またはさもなければ変更するために、デジタル化されたデータストリームに適用され得る。マスクされたデータストリームは、その後、本明細書に記載されるように、フライトの時間を測定するために、対応するステージ決定（例えば、粗いステージ、微細なステージ、または超微細なステージ）の受信パターンと比較することができる。
【００１８】
１つの実施形態では、様々なパターン（例えば、粗いステージ送信パターン、微細なステージ送信パターン、粗いステージ受信パターン、微細なステージ受信パターン、および／または、受信パターンマスク）も同様であり得る。代わりに、これらのパターンの１つ以上（あるいは全て）は、互いに異なり得る。例えば、パターンの異なるものは、異なるビットのシーケンスおよび／またはシーケンスの長さを含み得る。超微細なステージで使用される様々なパターン（例えば、粗いステージ送信パターン、微細なステージ送信パターン、粗いステージ受信パターン、微細なステージ受信パターン、および／または受信パターンマスク）もまた、単独で粗いまたは微細なステージで使用されるものとは異なり得る且つ互いに異なり得る。
【００１９】
図１は、感知システム（１００）の１つの実施形態の概略図である。システム（１００）は、感知装置（１０２）と１つ以上のターゲット（１０４）との間の距離を決定するために、および／または１つ以上のターゲットオブジェクト（１０４）の移動を識別するために使用することができ、ここで、ターゲットオブジェクト（１０４）は、変わり得るまたは知られていない位置を有し得る。１つの実施形態では、感知装置（１０２）は、送信された信号（１０６）としての電磁パルスシーケンスを、エコー（１０８）として少なくとも部分的に反射されるターゲットオブジェクト（１０４）へと送信するレーダーシステムを含む。代わりに、感知装置（１０２）は、光を、送信された信号（１０６）としてのターゲットオブジェクト（１０４）へと送信し、エコー（１０８）としてターゲットオブジェクト（１０４）から光の反射を受信する、光検知測距（ＬＩＤＡＲ）システムなどの、光学感知システムを含むことができる。別の実施形態では、送信の別の方法は、送信された信号（１０６）を送信し、エコー（１０８）を受信するために、ソナーなどのように使用され得る。
【００２０】
送信された信号（１０６）およびエコー（１０８）のフライトの時間は、送信された信号（１０６）の送信とターゲットオブジェクト（１０４）のエコー（１０８）の受信との間の時間遅延を表わす。フライトの時間は、感知装置（１０２）とターゲットオブジェクト（１０４）との間の距離に比例し得る。感知装置（１０２）は、送信された信号（１０６）とエコー（１０８）のフライトの時間を測定することができ、フライトの時間に基づいて、感知装置（１０２）とターゲットオブジェクト（１０４）との間の分離距離（１１０）を計算することができる。
【００２１】
感知システム（１００）は、感知装置（１０２）の操作を指図する制御ユニット（１１２）（図１の「外部制御ユニット」）を含み得る。制御ユニット（１１２）は、１つ以上のプロセッサー、制御装置などの、１つ以上のロジックベースのハードウェアデバイスを含むことができる。図１に示される制御ユニット（１１２）は、ハードウェア（例えばプロセッサー）および／またはハードウェアのロジック（例えば、コンピューターメモリー上に保存されたコンピューターソフトウェアなどの、触知できる且つ非一時的なコンピューター可読記憶媒体上に保存されるハードウェアの操作を指示するための１セット以上の命令）を表わし得る。制御ユニット（１１２）は、１つ以上の有線接続および／または無線接続によって感知装置（１０２）と通信可能に連結され得る（例えば、データ信号を通信するように接続され得る）。制御ユニット（１１２）は、ビルの別の部屋で、別のビルで、別の街区で、別の街で、別の郡、州、または国、あるいは他の地理的な境界）などで、数メーター遠くに配置されることなどによって、感知装置（１０２）から離れて位置付けられ得る。
【００２２】
１つの実施形態では、制御ユニット（１１２）は、同じまたは異なる場所に位置付けられる、いくつかの感知アセンブリ（１０２）と通信可能に連結され得る。例えば、互いから離れて位置付けられる、いくつかの感知アセンブリ（１０２）は、共通の制御ユニット（１１２）と通信可能に連結され得る。制御ユニット（１１２）は、感知アセンブリ（１０２）を個々に起動する（例えば、ＯＮにする）かまたは停止する（例えば、ＯＦＦにする）ために、感知アセンブリ（１０２）の各々に別々に制御メッセージを送信することができる。１つの実施形態では、制御ユニット（１１２）は、感知アセンブリ（１０２）に対して、分離距離（１１０）の周期的な測定を行うように、およびその後、電力を節約するためにアイドルタイムの間停止するように指示し得る。
【００２３】
１つの実施形態では、制御ユニット（１１２）は、送信された信号（１０６）を送信し、エコー（１０８）を受信するように、および／または分離距離（１１０）を測定するために、感知装置（１０２）に、起動する（例えば、ＯＮにする）かまたは停止する（例えば、ＯＦＦにする）ように指示することができる。代わりに、制御ユニット（１１２）は、感知装置（１０２）によって測定される且つ制御ユニット（１１２）に通信されるように、送信された信号（１０６）とエコー（１０８）のフライトの時間に基づいて、分離距離（１１０）を計算し得る。制御ユニット（１１２）は、キーボード、電子マウス、タッチスクリーン、マイクロホン、スタイラスなどの、入力デバイス（１１４）、および／またはコンピューターモニター、タッチスクリーン（例えば、入力デバイス（１１４）と同じタッチスクリーン）、スピーカー、光などの、出力デバイス（１１６）と通信可能に連結され得る。入力デバイス（１１４）は、感知装置（１０２）を起動または停止するコマンドなどの、オペレーターからの入力データを受信し得る。出力デバイス（１１６）は、分離距離（１１０）および／または送信された信号（１０６）とエコー（１０８）のフライトの時間などの、情報をオペレーターに提示し得る。出力デバイス（１１６）はまた、インターネットなどの、通信ネットワークと接続し得る。
【００２４】
システム（１００）の適用または使用に依存して、感知アセンブリ（１０２）のフォームファクターは、種々様々な異なる形状を有し得る。感知アセンブリ（１０２）は、外部ハウジングなどの、単一のエンクロージャー（１６０２）で囲まれ得る。エンクロージャー（１６０２）の形状は、限定されないが、電源（例えば、バッテリーおよび／または他の電力接続）のニーズ、環境保護、および／または通信デバイス（例えば、測定値を送信するまたは他の通信を送信／受信するためのネットワークデバイス）を含む因子に依存し得る。例示される実施形態では、感知アセンブリ（１０２）の基本形状は四角である。感知アセンブリ（１０２）の大きさは、３インチ×６インチ×２インチ（７．６センチメートル×１５．２センチメートル×５．１センチメートル）、７０ｍｍ×１４０ｍｍ×１０ｍｍ、または別の大きさなど、比較的小さくなり得る。代わりに、感知アセンブリ（１０２）は、１以上の他の寸法を有し得る。
【００２５】
図２は、感知装置（１０２）の１つの実施形態の概略図である。感知装置（１０２）は、キャリア信号を直接変調する、比較的高速なデジタルパルスシーケンスを使用するダイレクトシーケンススペクトラム拡散のレーダーデバイスであり得る。これは、その後、送信された信号（１０６）としてターゲットオブジェクト（１０４）へと送信される。エコー（１０８）は、送信された信号（１０６）とエコー（１０８）のフライトの時間を決定するために、送信された信号（１０６）における同じパルスシーケンスと相互に関連付けられ得る。このフライトの時間は、その後、（図１に示される）分離距離（１１０）を計算するために使用され得る。
【００２６】
感知装置（１０２）は、フロントエンド（２００）およびバックエンド（２０２）を含む。フロントエンド（２００）は、回路、および／または送信された信号（１０６）を送信し、反射されたエコー（１０８）を受信する他のハードウェアを含み得る。バックエンド（２０２）は、回路、および／または送信された信号（１０６）のためのパルスシーケンスを形成する、またはフロントエンド（２００）に、送信された信号（１０６）に含むためのパルスシーケンスを形成するように指示する制御信号を生成する、および／またはフロントエンド（２００）によって受信されたエコー（１０８）を処理する（例えば、分析する）、他のハードウェアを含み得る。フロントエンド（２００）およびバックエンド（２０２）の両方は、共通ハウジングに含まれ得る。例えば（および下記に記載されるように）、フロントエンド（２００）およびバックエンド（２０２）は、（例えば、数センチメートルまたは数メートル以内で）互いに比較的密接し得るおよび／または同じハウジング内に包含され得る。代わりに、フロントエンド（２００）は、バックエンド（２０２）から離れて位置付けられ得る。フロントエンド（２００）および／またはバックエンド（２０２）の構成要素は、図２における線および／または矢印によって接続されているように概略的に示され、これは、導電接続（例えば、ワイヤー、バスなど）および／または無線接続（例えば、無線ネットワーク）を表わし得る。
【００２７】
フロントエンド（２００）は、送信アンテナ（２０４）および受信アンテナ（２０６）を含む。送信アンテナ（２０４）は、送信された信号（１０６）をターゲットオブジェクト（１０４）へと送信し、受信アンテナ（２０６）は、ターゲットオブジェクト（１０４）によって少なくとも部分的に反射されるエコー（１０８）を受信する。１つの例として、送信アンテナ（２０４）は、無線周波数（ＲＦ）の電磁気信号を、２４ギガヘルツ（「ＧＨｚ」）±１．５ＧＨｚの周波数を有するＲＦ信号などの、送信された信号（１０６）として送信し得る。代わりに、送信アンテナ（２０４）は、光などの、および／または別の周波数での、他のタイプの信号を送信し得る。光送信の場合には、アンテナは、レーザーまたはＬＥＤまたは他のデバイスと交換されてもよい。受信機は、フォト検出器またはフォトダイオードと交換されてもよい。
【００２８】
フロントエンド（２００）のフロントエンド送信機（２０８）（図２における「ＲＦフロントエンド」、「送信機」、および／または「ＴＸ」）は、送信アンテナ（２０４）と通信可能に連結される。フロントエンド送信機（２０８）は、送信された信号（１０６）を形成し、送信アンテナ（２０４）が送信された信号（１０６）に通信する（例えば、それを送信する）ように、送信された信号（１０６）を送信アンテナ（２０４）に提供する。例示される実施形態では、フロントエンド送信機（２０８）は、ミキサー（２１０Ａ）、（２１０Ｂ）および増幅器（２１２）を含む。代わりに、フロントエンド送信機（２０８）は、増幅器（２１２）を含まないかもしれない。ミキサー（２１０Ａ）、（２１０Ｂ）は、発振信号（２１６）（例えばキャリア信号）を有するバックエンド（２０２）によって提供されるパルスシーケンスまたはパターンを組み合わせる（例えば、変調する）ことで、送信アンテナ（２０４）によって通信される、送信された信号（１０６）を形成する。１つの実施形態では、ミキサー（２１０Ａ）、（２１０Ｂ）は、１つ以上の送信（ＴＸ）パターン発生器（２２８Ａ）、（２２８Ｂ）（図２における「ベースバンド信号」）から受信されたパターン信号（２３０Ａ）、（２３０Ｂ）と、発振信号（２１６）を掛け合わせる（ｍｕｌｔｉｐｌｙ）。パターン信号（２３０）は、パターンコード発生器（２２８）によって形成されたパターンを含む。下記に記載されるように、パターン信号（２３０）は、既知の又は指定されたシーケンスで配されるいくつかのビットを含むことができる。
【００２９】
フロントエンド（２００）の発振デバイス（２１４）（図２における「発振器」）は、ミキサー（２１０Ａ）、（２１０Ｂ）に通信される発振信号（２１６）を生成する。１つの例として、発振デバイス（２１４）は、感知装置（１０２）に配置された電源（例えばバッテリー）によって、および／または（図１に示される）制御ユニット（１１２）によって提供されるように、発振デバイス（２１４）に入力される電圧信号に基づいて発振信号（２１６）を生成する電圧制御発振器（ＶＣＯ）を含み得るまたは表わし得る。増幅器（２１２）は、送信された信号（１０６）の強度（例えば利得）を高め得る。
【００３０】
例示される実施形態では、ミキサー（２１０Ａ）は、パターン信号（２３０Ａ）の同相（Ｉ）の成分またはチャネルを受信し、パターン信号（２３０Ａ）のＩの成分またはチャネルを、発振信号（２１６）と組み合わせ、送信された信号（１０６）のＩの成分またはチャネルを形成する。ミキサー（２１０Ｂ）は、パターン信号（２３０Ｂ）の直角位相（Ｑ）の成分またはチャネルを受信し、パターン信号（２３０Ｂ）のＩの成分またはチャネルを、発振信号（２１６）と組み合わせ、送信された信号（１０６）のＱの成分またはチャネルを形成する。
【００３１】
ＴＸベースバンド信号（２３０）がミキサー（２１０）に流れるときに、送信された信号（１０６）（例えば、ＩおよびＱのチャネルの１つまたは両方）が生成される。デジタル出力ゲート（２５０）は、ＴＸベースバンド信号（２３０）の追加された制御のためのＴＸパターン発生器とミキサー（２１０）との間で配置され得る。１つ以上の送信された信号（１０６）のバーストが送信アンテナ（２０４）によって送信された後、感知アセンブリ（１０２）は、ターゲットオブジェクト（１０４）からエコー（１０８）を受信するために、（例えば、送信された信号（１０６）の送信を含む）送信モードから受信モードに切り替わり得る。１つの実施形態では、感知アセンブリ（１０２）は、送信モード中にエコー（１０８）を受信または感知しないかもしれない、および／または受信モード中に送信された信号（１０６）を送信しないかもしれない。感知アセンブリ（１０２）が送信モードから受信モードに切り替わるときに、デジタル出力ゲート（２５０）は、送信信号（１０６）が、除去される（例えば、ゼロ強度に減らされる）時点まで送信機（２０８）によって生成される時間を減らすことができる。例えば、デジタル出力ゲート（２５０）は、（ゲート（２５０）によって表わされる）トライステート機能および差動の（ｄｉｆｆｅｒｅｎｔｉａｌ）ハイパスフィルターを含むことができる。ベースバンド信号（２３０）がアップコンバージョンミキサー（２１０）に達する前に、ベースバンド信号（２３０）はフィルターを通り抜ける。ゲート（２５０）は、（図１に示される）制御ユニット（１１２）と通信可能に連結され得る且つ、それによって制御され得るため、その結果、送信された信号（１０６）（またはいくつかの送信された信号（１０６）のバースト）が送信される且つ感知アセンブリ（１０２）が、エコー（１０８）の受信に切り替わるときに、制御ユニット（１１２）は、ゲート（２５０）のフィルターに、トライステート（例えば、ハイインピーダンス）のモードへ入るように指示することができる。トライステートのモードが開始されたあと比較的すぐに、ゲート（２５０）の差動出力にわたるハイパスフィルターは、入力送信信号（１０６）を減少することができる。その結果、送信された信号（１０６）は、感知アセンブリ（１０２）がエコー（１０８）を受信するときに、送信アンテナ（２０４）に流れることおよび／または受信アンテナ（２０６）に漏れることが防がれる。
【００３２】
フロントエンド（２００）のフロントエンド受信機（２１８）（「ＲＦフロントエンド」、「受信機」、および／または「ＲＸ」）は、受信アンテナ（２０６）に通信可能に連結される。フロントエンド受信機（２１８）は、受信アンテナ（２０６）からエコー（１０８）（またはエコー（１０８）を表わすデータ）を表わすエコー信号（２２４）を受信する。エコー信号（２２４）は、１つの実施形態においてアナログ信号であり得る。受信アンテナ（２０６）は、受信されたエコー（１０８）に基づいてエコー信号（２２４）を生成し得る。例示される実施形態では、増幅器（２３８）は、受信アンテナ（２０６）とフロントエンド受信機（２１８）との間で配置され得る。フロントエンド受信機（２１８）は、増幅器（２２０）およびミキサー（２２２Ａ）、（２２２Ｂ）を含むことができる。あるいは、増幅器（２２０）、（２３８）の１つ以上は提供されないかもしれない。増幅器（２２０）、（２３８）は、エコー信号（２２４）の強度（例えば、利得）を高めることができる。ミキサー（２２２Ａ）、（２２２Ｂ）は、発振装置（２１４）からの発振信号（２１６）（または発振信号（２１６）のコピー）と組み合わさるエコー信号（２２４）の異なる成分またはチャネルを受信する、１つ以上の混合デバイスを含み得るか又は表わし得る。例えば、ミキサー（２２２Ａ）は、アナログエコー信号（２２４）を発振信号（２１６）のＩ成分と組み合わせ、エコー信号（２２４）のＩ成分を、感知装置（１０２）のバックエンド（２０２）に通信される第１ベースバンドエコー信号（２２６Ａ）へと抽出する（ｅｘｔｒａｃｔ）。第１ベースバンドエコー信号（２２６Ａ）は、ベースバンドエコー信号のＩの成分またはチャネルを含み得る。ミキサー（２２２Ｂ）は、アナログエコー信号（２２４）を発振信号（２１６）のＱ成分と組み合わせ、アナログエコー信号（２２４）のＱ成分を、感知装置（１０２）のバックエンド（２０２）に通信される第２ベースバンドエコー信号（２２６Ｂ）へと抽出する。第２ベースバンドエコー信号（２２６Ｂ）は、ベースバンドエコー信号のＱの成分またはチャネルを含むことができる。１つの実施形態では、エコー信号（２２６Ａ）、（２２６Ｂ）は、まとめて、ベースバンドエコー信号（２２６）して言及され得る。１つの実施形態では、ミキサー（２２２Ａ）、（２２２Ｂ）は、エコー信号（２２４）を、発振信号（２１６）のＩおよびＱの成分と掛け合わせることができ、ベースバンドエコー信号（２２６Ａ）、（２２６Ｂ）を形成する。
【００３３】
感知装置（１０２）のバックエンド（２０２）は、送信された信号（１０６）に含むためのパターン信号（２３０）を生成する送信（ＴＸ）パターンコード発生器（２２８）を含む。送信パターンコード発生器は、送信コード発生器（２２８Ａ）、（２２８Ｂ）を含む。例示される実施形態では、送信コード発生器（２２８Ａ）は、Ｉの成分またはチャネルのパターン信号（２３０Ａ）（図２での「Ｉ ＴＸパターン」）を生成する一方で、送信コード発生器（２２８Ｂ）は、Ｑの成分またはチャネルのパターン信号（２３０Ｂ）（図２での「Ｑ ＴＸパターン」）を生成する。送信パターンコード発生器（２２８）によって生成された送信パターンは、２進ディジット、またはビットの既知の又は指定されたシーケンスを有するデジタルパルスシーケンスを含むことができる。ビットは、１または０の値、高いまたは低い、ＯＮまたはＯＦＦ、＋１または−１などの、２つの値の１つを有し得る情報の単位を含む。あるいは、ビットは、３つ以上の値の１つを有し得る情報の単位である、ディジットなどと交換されてもよい。パルスシーケンスは、（図１に示される入力デバイス（１１４）の使用によるなど）図１に示されるシステム（１００）のオペレーターによって選択され得るか、パターンコード発生器（２２８）のロジックへと配線で接続され（ｈａｒｄ−ｗｉｒｅｄ）得る又はプログラムされ得るか、またはさもなければ確立され得る。
【００３４】
送信パターンコード発生器（２２８）は、ビットのパターンを作成し、パターン信号（２３０Ａ）、（２３０Ｂ）におけるパターンを、フロントエンド送信機（２０８）に通信する。パターン信号（２３０Ａ）（２３０Ｂ）は、パターン信号（２３０）として、個々にまたはまとめて言及され得る。１つの実施形態では、パターン信号（２３０）は、３ＧＨｚ以下の周波数で、フロントエンド送信機（２０８）に通信され得る。あるいは、パターン信号（２３０）は、より大きな周波数で、フロントエンド送信機（２０８）に通信され得る。送信パターンコード発生器（２２８）はまた、パターン信号（２３０）を相関装置（２３２）（図２での「相関器」）に通信する。例えば、パターンコード発生器（２２８）は、相関装置（２３２）へ送られるパターン信号のコピーを生成し得る。
【００３５】
バックエンドセクション（２０２）は、ハードウェア（例えば、１つ以上のプロセッサー、制御装置など）および／またはハードウェアのロジック（例えば、コンピューターメモリー上に保存されたコンピューターソフトウェアなどの、触知できる且つ非一時的なコンピューター可読記憶媒体上に保存されるハードウェアの操作を指示するための１セット以上の命令）を含むか又は表わす。ＲＸバックエンドセクション（２０２Ｂ）は、パターンコード発生器（２２８）からパターン信号（２３０）を、フロントエンド受信機（２００）からベースバンドエコー信号（２２６）（例えば、信号（２２６Ａ）、（２２６Ｂ）の１つ以上）を受信する。ＲＸバックエンドセクション（２０２Ｂ）は、分離距離（１１０）を決定するために、および／またはターゲットオブジェクト（１０４）の移動を追跡するおよび／または検出するために、ベースバンドエコー信号（２２６）の解析の１つ以上のステージを実行し得る。
【００３６】
解析のステージは、上述されるように、粗いステージ、微細なステージ、および／または超微細なステージを含むことができる。粗いステージでは、ベースバンドプロセッサー（２３２）は、送信された信号（１０６）およびエコー（１０８）の粗いまたは推測されるフライトの時間を決定するために、パターン信号（２３０）をベースバンドエコー信号（２２６）と比較する。例えば、ベースバンドプロセッサー（２３２）は、下記に記載されるように、送信された信号（１０６）が送信されるときの時間と、パターン信号（２３０）（あるいはその一部分）およびベースバンドエコー信号（２２６）におけるパターンが互いに一致するか又は略一致するときの時間との間の、対象の時間遅延を測定することができる。対象の時間遅延は、送信された信号（１０６）および対応するエコー（１０８）のフライトの時間の推測として使用され得る。
【００３７】
微細なステージでは、感知アセンブリ（１０２）は、パターン信号（２３０）の複製されたコピーを、ベースバンドエコー信号（２２６）と比較することができる。パターン信号（２３０）の複製されたコピーは、粗いステージ中に測定された対象の時間遅延によって遅延されたパターン信号（２３０）を含む信号でもよい。感知アセンブリ（１０２）は、複製されたパターン信号とベースバンドエコー信号（２２６）との間の重複または不一致の一時的な量または程度を決定するために、パターン信号（２３０）の複製されたコピーを、ベースバンドエコー信号（２２６）と比較する。この一時的な重複または不一致は、粗いステージから計算されたフライトの時間に加えることができるフライトの時間の追加部分を表わすことができる。１つの実施形態では、微細なステージは、ベースバンドエコー信号（２２６）および複製されたパターン信号のＩおよび／またはＱの成分を検査する。
【００３８】
超微細なステージでは、感知アセンブリ（１０２）はまた、ベースバンドエコー信号（２２６）および複製されたパターン信号のＩおよび／またはＱの成分との間の一時的な重複または不一致を決定するために、ベースバンドエコー信号（２２６）および複製されたパターン信号のＩおよび／またはＱの成分を検査することができる。ベースバンドエコー信号（２２６）および複製されたパターン信号のＱの成分は、フライトの時間の比較的的確な推測を決定するために、（例えば、Ｉおよび／またはＱの成分を検査することによって）粗いステージおよび微細なステージから計算されたフライトの時間に加えることができる、さらなる時間遅延を表わし得る。あるいはまたは加えて、超微細なステージは、対象のビット内のターゲットオブジェクト（１０４）の移動を正確に追跡および／または検出するために使用されてもよい。用語「微細な」、「超微細な」は、微細なステージが、フライトの時間（ｔＦ）のより的確および／または正確な（例えば、より大きな解像度）計算および／または粗いステージに対する分離距離（１１０）を提供し得ること、および超微細なステージが、フライトの時間（ｔＦ）のより的確および／または正確な（例えば、より大きな解像度）計算および／または微細なステージおよび粗いステージに対する分離距離（１１０）を提供し得ることを意味するために使用される。あるいはまたは加えて、ＩチャネルとＱチャネルにおける波形の時間の遅れ（ｔｉｍｅ ｌａｇ）は、ターゲットの分離距離または運動を計算するために、エコーの相を分解するように検査することができる。
【００３９】
上に記載されるように、超微細なステージ決定は、粗いステージ決定と類似したプロセスに関係し得る。例えば、粗いステージ決定は、本明細書に記載されるように、データストリームの異なるサブセットの相関値を決定するために、およびこれらの相関値から、対象のサブセットおよび対応するフライトの時間を決定するために、受信パターンとデータストリームのＩチャネルを検査し得る。超微細なステージ決定は、データストリームの異なるサブセットの相関値を決定するために、およびこれらの相関値から、対象のサブセットおよびフライトの時間を決定するために、受信パターンとデータストリームのＩおよび／またはＱのチャネルを使用することができる。ＩチャネルおよびＱチャネルからのフライトの時間は、ターゲットに対するフライトの時間および／または分離距離を計算するために組み合わせる（例えば、平均する）ことができる。超微細なステージ決定によって計算された相関値は、ターゲットに対するフライトの時間および／または分離距離を決定するために、粗いステージおよび／または微細なステージからの時間遅延に加えることができる追加の時間遅延を計算するために使用することができる。あるいはまたは加えて、ＩチャネルとＱチャネルとの波形の相関値は、ターゲットの分離距離または運動を計算するために、エコーの相を分解するように検査することができる。
【００４０】
バックエンド（２０２）は、第１ベースバンドプロセッサー（２３２Ａ）（図２での「Ｉベースバンドプロセッサー」）および第２ベースバンドプロセッサー（２３２Ｂ）（図２での「Ｑベースバンドプロセッサー」）を含むことができる。第１ベースバンドプロセッサー（２３２Ａ）は、エコー信号（２２６Ａ）のＩの成分またはチャネルを検査し得る、および第２ベースバンドプロセッサー（２３２Ｂ）は、エコー信号（２２６Ｂ）のＱの成分またはチャネルを検査し得る。バックエンド（２０２）は、ベースバンドエコー信号（２２６）の解析から出力として測定信号（２３４）を提供することができる。１つの実施形態では、測定信号（２３４）は、第１ベースバンドプロセッサー（２３２Ａ）からＩの成分またはチャネルの測定信号（２３４Ａ）および第２ベースバンドプロセッサー（２３２Ｂ）からのＱの成分またはチャネルの測定信号（２３４Ｂ）を含む。測定信号（２３４）は、分離距離（１１０）および／またはフライトの時間を含み得る。合計位置の推測部（ｔｏｔａｌ ｐｏｓｉｔｉｏｎ ｅｓｔｉｍａｔｅ）（２６０）は、制御ユニット（１１２）が、１つ以上の他の用途、計算などのための、および／または出力デバイス（１１６）（図１に示される）上のオペレーターに対する表示のための、分離距離（１１０）および／またはフライトの時間を表わす、データまたは情報を使用することができるように、（図１に示される）制御ユニット（１１２）に通信され得る。
【００４１】
下記に記載されるように、送信された信号（１０６）に送信されたパターン（例えば、ビットのパルスシーケンス）またはその一部分を含む相関窓は、ベースバンドエコー信号（２２６）と比較され得る。相関窓は、ベースバンドエコー信号（２２６）の開始を表わすベースバンドエコー信号（２２６）の位置から累進的に変更または遅延され得る（例えば、送信された信号（１０６）が送信される時間に相当するが、ベースバンドエコー信号の正確な始まりであり得る又はあり得ない時間）、および連続的に、または任意の他の順序で、ベースバンドエコー信号（２２６）の異なるサブセットまたは部分と比較され得る。相関窓におけるパルスシーケンスと、ベースバンドエコー信号（２２６）のサブセットまたは部分との間の一致の程度を表わす相関値が計算され得、対象の時間遅延（例えば、およそのフライトの時間）は、ベースバンドエコー信号（２２６）の開始と、１つ以上の最大の又は比較的大きな相関値との間の時間差に基づいて決定され得る。最大の又は比較的大きな相関値は、ターゲットオブジェクト（１０４）からの送信された信号（１０６）の少なくとも部分的な反射を表わし得、対象の相関値として言及され得る。
【００４２】
本明細書で使用されるように、用語「最大」、「最小」、およびその形態は、それぞれ、絶対的な最も大きいおよび最も小さい値に限定されない。例えば、「最大」相関値は、最も大きな潜在的な相関値を含むことができる一方で、１つ以上の他の相関値より大きい相関値を含むこともできるが、必ずしも、得ることができる最も大きな潜在的な相関値ではない。同様に、「最小」相関値は、最も小さい潜在的な相関値を含むことができる一方で、１つ以上の他の相関値より小さい相関値を含むこともできるが、必ずしも、得ることができる最も小さい潜在的な相関値ではない。
【００４３】
対象の時間遅延は、その後、粗いステージから分離距離（１１０）を計算するために使用することができる。例えば、１つの実施形態では、分離距離（１１０）は次のように推測され得るまたは計算され得る：
【００４４】
【化１】
0006021189.tif 000002
【００４５】
式中、ｄは、分離距離（１１０）を表わし、ｔＦは、（対象の相関値の識別に対するベースバンドエコー信号（２２６）の開始から計算された）対象の時間遅延を表わし、およびｃは、光速を表わす。あるいは、ｃは、送信された信号（１０６）および／またはエコー（１０８）が、感知装置（１０２）とターゲットオブジェクト（１０４）との間の媒体を通って移動する速度を表わし得る。別の実施形態では、ｔＦおよび／またはｃの値は、送信された信号（１０６）および／またはエコー（１０８）のフライトの時間が原因でない、送信された信号（１０６）の送信と、エコー（１０８）の受信との間の遅延の部分を占めるために、校正係数または他の係数によって変更され得る。
【００４６】
図２に示される感知アセンブリ（１０２）を続いて参照すると、図３Ａおよび３Ｂは、１つの実施形態による、送信された信号（１０６）および対応するエコー（１０８）のためのフライトの時間の粗いステージ決定の概略図である。「粗い」によって、反射されたエコー（１０８）から生成される同じ又は異なるエコー信号（２２４）（図２に示される）の１つ以上のさらなる測定または解析が、フライトの時間（ｔＦ）および／または分離距離（１１０）のより的確なおよび／または正確な測定を提供するために行われ得ることが意図される。用語「粗い」の使用は、上に記載される測定技術が不的確または不正確であることを意味するようには意図されない。上に記載されるように、パターンコード発生器（２２８）によって生成されたパターン、およびベースバンドエコー信号（２２６）は、ＲＸバックエンド（２０２Ｂ）によって受信される。ベースバンドエコー信号（２２６）は、エコー信号（２２４）をベースバンド信号に変換するために、エコー信号（２２４）を発振信号（２１６）によって混合する（例えば、掛け合わせる）ことによって形成することができる。
【００４７】
図３Ａは、（図１に示される）送信された信号（１０６）およびデジタル化されたエコー信号（２２６）を表わす、正方形の波形の送信された信号（３２２）を例示する。図３Ａで示されるエコー信号（２２６）は、エコー信号（２２６）（例えば信号（２２６Ａ））のＩの成分またはチャネルを表わし得る。信号（３２２）、（２２６）は、時間を表わす水平軸（３０４）に沿って示される。送信された信号（３２２）は、送信された信号（１０６）に含まれるパターンを表わすパターン波形セグメント（３２６）を含む。例示される実施形態では、パターン波形セグメント（３２６）は、１０１０１１のビットパターンに対応し、ここで０は、送信された信号（３２２）の低値（３２８）を表わし、送信された信号（３２２）の高値（３３０）を表わす。低値（３２８）または高値（３３０）の各々は、ビット時間（３３２）上に生じる。例示される実施形態では、各パターン波形セグメント（３２６）は、６つのビット時間（３３２）に広がるように、６つのビット（例えば、６つの０ｓおよび１ｓ）を含む。あるいは、パターン波形セグメント（３２６）の１つ以上は、低値（３２８）または高値（３３０）の異なるシーケンスを含み得る、および／または異なる数のビット時間（３３２）上に生じ得る。
【００４８】
ベースバンドエコー信号（２２６）は、１つの実施形態において、矩形波（例えば、低値（３２８）および高値（３３０））のシーケンスを含むが、矩形波は他の形状を有し得る。エコー信号（２２６）は、（図３Ｂに関して以下に示され、記載される）デジタルエコー信号（７４０）として表わされ得る。下記に記載されるように、デジタルエコー信号（７４０）の異なる部分またはサブセットは、対象の時間遅延、または推測されるフライトの時間を決定するために、送信された信号（１０６）のパターンシーケンス（例えば、パターン波形セグメント（３２６））と比較され得る。図３Ａで示されるように、ベースバンドエコー信号（２２６）の矩形波（例えば、低値（３２８）および高値（３３０））は、送信された信号（３２２）のビット時間（３３２）と正確には並ばないかもしれない。
【００４９】
図３Ｂは、時間を表わす軸（３０４）に沿った図３Ａのデジタル化されたエコー信号（７４０）を例示する。図３Ｂで示されるように、デジタル化されたエコー信号（７４０）は、ビット（３００）、（３０２）のシーケンスとして概略的に示され得る。デジタル化されたエコー信号（７４０）における各ビット（３００）、（３０２）は、デジタル化されたエコー信号（７４０）の異なる低値（３２８）または高値（３３０）（図３Ａで示される）を表わすことができる。例えば、ビット（３００）（例えば「０」）は、デジタル化されたエコー信号（７４０）の低値（３２８）を表わすことができ、ビット（３０２）（例えば「１」）は、デジタル化されたエコー信号（７４０）の高値（３３０）を表わすことができる。
【００５０】
ベースバンドエコー信号（２２６）は、軸（３０４）の送信時間（ｔｏ）で始まる。送信時間（ｔｏ）は、送信された信号（１０６）が感知アセンブリ（１０２）によって送信される時間に相当し得る。あるいは、送信時間（ｔｏ）は、送信された信号（１０６）が送信される前または後に生じる別の時間であり得る。
【００５１】
ベースバンドプロセッサー（２３２）は、送信された信号（１０６）に含まれる（例えば、信号（２３０）における）送信パターンに類似した、パターン発生器（２２８）からの受信パターン信号（２４０）を得、受信パターン信号（２４０）は、図３に示されるデジタルパルスシーケンス受信パターン（３０６）などの、ビットのシーケンスを表わす波形信号を含み得る。ベースバンドプロセッサー（２３２）は、受信パターン（３０６）をエコー信号（２２６）と比較する。１つの実施形態では、受信パターン（３０６）は、上に記載されるように、パターンコード発生器（２２８）からの送信された信号（１０６）に含まれるビットの送信パターンのコピーである。あるいは、受信パターン（３０６）は、送信された信号（１０６）に含まれる送信パターンと異なってもよい。例えば、受信パターン（３０６）は、ビットの異なるシーケンスを有してもよく（例えば、ビットの異なるシーケンスを表わす、１つ以上の異なる波形を有している）、および／または送信パターンよりも長い又は短いビットのシーケンスを有してもよい。受信パターン（３０６）は、図３Ａで示される、パターン波形セグメント（３２６）の１つ以上、またはその一部分によって表わされ得る。
【００５２】
ベースバンドプロセッサー（２３２）は、異なる位置で相関値（「ＣＶ」）を計算するために、デジタル化されたエコー信号（７４０）の異なる部分と比較される相関窓（３２０）として受信パターン（３０６）のすべて又は一部分を使用する。相関値は、デジタル化されたエコー信号（７４０）におけるビットの異なるサブセットにわたる、受信パターン（３０６）とデジタル化されたエコー信号（７４０）との間の異なる程度の一致を表わす。図３に例示される例において、相関窓（３２０）は、６つのビット（３００）、（３０２）を含む。あるいは、相関窓（３２０）は、異なるビット数（３００）、（３０２）を含んでもよい。相関装置（７３１）は、相関窓（３２０）におけるパターンを、１つを超える（または全ての）エコー信号（７４０）の他の部分とより密接に一致させる場所（例えば、エコー信号（２２６）のサブセット）を識別するために、エコー信号（７４０）にわたる相関窓（３２０）を一時的にシフトすることができる。１つの実施形態では、粗いステージ決定で操作する際に、第１ベースバンドプロセッサー（２３２Ａ）は相関窓（３２０）を、エコー信号（２２６）のＩの成分またはチャネルと比較する。
【００５３】
例えば、相関装置（７３１）は、相関窓（３２０）におけるビットを、デジタル化されたエコー信号（７４０）におけるビット（３００）、（３０２）の第１サブセット（３０８）と比較し得る。例えば、相関装置（７３１）は、受信パターン（３０６）を、デジタル化されたエコー信号（７４０）の第１の６つのビット（３００）、（３０２）と比較することができる。あるいは、相関装置（７３１）は、受信パターン（３０６）を、デジタル化されたエコー信号（７４０）の異なるサブセットと比較することによって始まり得る。相関装置（７３１）は、第１サブセット（３０８）におけるビット（３００）、（３０２）のシーケンスが、どれくらい密接に受信パターン（３０６）におけるビット（３００）、（３０２）のシーケンスと一致するかを決定することによって、デジタル化されたエコー信号（７４０）におけるビットの第１サブセット（３０８）に対する第１相関値を計算する。
【００５４】
１つの実施形態では、相関装置（７３１）は、第１の値（例えば、＋１）を、相関窓（３２０）におけるビット（３００）、（３０２）のシーケンスと一致する、相関窓（３２０）と比較されているデジタル化されたエコー信号（７４０）のサブセットにおけるそれらのビット（３００）、（３０２）に割り当て、異なる、第２の値（例えば、−１）を、相関窓（３２０）におけるビット（３００）、（３０２）のシーケンスと一致しない、検査されているデジタル化されたエコー信号（７４０）のサブセットにおけるそれらのビット（３００）、（３０２）に割り当てる。あるいは、他の値が使用され得る。相関装置（７３１）は、その後、サブセットに対する相関値を導き出すために、デジタル化されたエコー信号（７４０）のサブセットに対するこれらの割り当てられた値を合計し得る。
【００５５】
デジタル化されたエコー信号におけるビットの第１サブセット（３０８）に関して、第４のビット（例えば、０）および第５のビット（例えば、１）のみが、相関窓（３２０）において第４のビットおよび第５のビットと一致する。第１サブセット（３０８）における残りの４つのビットは、相関窓（３２０）における対応するビットと一致しない。その結果、＋１が、一致しているビットに割り当てられ、−１が、一致していないビットに割り当てられると、デジタル化されたエコー信号（７４０）の第１サブセット（３０８）に対する相関値は、−２であると計算される。一方、＋１が、ビットに割り当てられ、０が、一致していないビットに割り当てられると、デジタル化されたエコー信号（７４０）の第１サブセット（３０８）に対する相関値は、＋２であると計算される。上に記載されるように、他の値は、＋１および／または−１の代わりに使用されてもよい。
【００５６】
相関装置（７３１）は、その後、相関窓（３２０）におけるビット（３００）、（３０２）のシーケンスを、デジタル化されたエコー信号（７４０）の別の（例えば、後の又は続く）サブセットと比較することよって、相関窓（３２０）を変更する。例示される実施形態では、相関装置（７３１）は、別の相関値を計算するために、相関窓（３２０）を、デジタル化されたエコー信号（７４０）における第６から第７のビット（３００）、（３０２）と比較する。図３に示されるように、相関窓（３２０）が比較されるサブセットは、少なくとも部分的に互いに重なり得る。例えば、相関窓（３２０）が比較されるサブセットの各々は、各サブセットにおける１つを除くすべてのビットによって互いに重なり得る。別の例において、サブセットの各々は、各サブセットにおけるより少ない数のビットによって、またはまったくビットがなくても互いに重なり得る。
【００５７】
相関装置（７３１）は、サブセットに対する相関値を計算するために、相関窓（３２０）を、デジタル化されたエコー信号（７４０）の異なるサブセットと比較し続け得る。上記の例を続けると、相関装置（７３１）は、デジタル化されたエコー信号（７４０）の異なるサブセットに対する図３に示される相関値を計算する。図３では、相関窓（３２０）は、比較されるサブセットの下に変更されて示され、相関窓（３２０）が比較されるサブセットの相関値は、（一致に対する＋１および不一致に対する−１の値を使用して）相関窓（３２０）の右に示される。例示される例において示されるように、デジタル化されたエコー信号（２２６）における第５から第１０のビット（３００）、（３０２）に関係する相関値は、他のサブセットの１つ以上の他の相関値より大きい、または相関値の中で最大である相関値（例えば、＋６）を有している。
【００５８】
別の実施形態では、相関窓（３２０）に含まれ、デジタル化されたエコー信号（７４０）のサブセットと比較される、受信パターン（３０６）は、（図１に示される）送信された信号（１０６）に含まれる送信パターンの、一部分および全体未満を含み得る。例えば、送信された信号（１０６）における送信パターンが、１３（あるいは異なる数）のビット（３００）、（３０２）のデジタルパルスシーケンスを表わす波形を含んでいると、相関装置（７３１）は、送信パターンに含まれる１３未満（あるいは異なる数）のビット（３００）、（３０２）を含む、受信パターン（３０６）を使用し得る。
【００５９】
１つの実施形態では、相関装置（７３１）は、（マスクされた受信パターンとしても言及される）相関窓（３２０）を形成するために、マスクを受信パターン（３０６）に適用することによって、全体未満の受信パターン（３０６）をサブセットと比較することができる。図３に示される受信パターン（３０６）に関して、相関装置（７３１）は、最後の３つのビット（３００）、（３０２）のみが、デジタル化されたエコー信号（７４０）の様々なサブセットと比較されるように、受信パターン（３０６）から第１の３つのビット（３００）、（３０２）を除くために、シーケンス「０００１１１」を含むマスク（あるいは別のマスク）を、受信パターン（３０６）に適用してもよい。マスクは、マスクにおける各ビットを、受信パターン（３０６）における対応するビットと掛け合わせることによって適用され得る。１つの実施形態では、相関窓（３２０）がサブセットと比較されるときに、デジタル化されたエコー信号（７４０）におけるサブセットの各々に、同じマスクがまた適用される。
【００６０】
相関器（７３１）は、最も大きい、１つ以上の相関値より大きい、および／または対象（３１２）の相関値としての指定された閾値より大きい相関値を識別し得る。例証する実施例において、第５の相関値（例えば＋６）は対象（３１２）の相関値でもよい。対象（３１２）の相関値に対応する、デジタル化されたエコー信号（７４０）におけるビットのサブセットは、対象（３１４）のサブセットとして識別され得る。例示される例において、対象（３１４）のサブセットは、デジタル化されたエコー信号（７４０）に第５乃至第１０のビット（３００）、（３０２）を含む。この例において、対象のサブセットの開始が、対象のサブセットを識別するために使用されると、対象の遅延は５となるであろう。対象の複数のサブセットは、（図１に示される）送信された信号（１０６）が、感知アセンブリ（１０２）から異なる分離距離（１１０）に位置付けられた異なるターゲットオブジェクト（１０４）などの、（図１に示される）複数のターゲットオブジェクト（１０４）から反射される場合に識別され得る。
【００６１】
デジタル化されたエコー信号（７４０）のサブセットの各々は、デジタル化されたエコー信号（７４０）（例えば、ｔｏ）の開始と、デジタル化されたエコー信号（７４０）の各サブセットにおける第１のビットの始まりとの間の時間遅延（ｔｄ）に関係し得る。あるいは、サブセットに関する時間遅延（ｔｄ）の始まりは、別の開始時間（例えば、デジタル化されたエコー信号（７４０）（ｔｏ）の開始の前または後の時間）から測定され得る、および／または時間遅延（ｔｄ）の終わりは、中間などのサブセットにおける別の位置に、またはサブセットのまたは別のビットにあり得る。
【００６２】
対象のサブセットに関係する時間遅延（ｔｄ）は、ターゲットオブジェクト（１０４）から反射される送信された信号（１０６）のフライトの時間（ｔＦ）を表わし得る。上記の方程式＃１を使用して、感知アセンブリ（１０２）とターゲットオブジェクト（１０４）との間の分離距離（１１０）を計算するために、フライトの時間が使用され得る。１つの実施形態では、フライトの時間（ｔＦ）は、フライトの時間（ｔＦ）を得るための校正係数によって変更される時間遅延などの、変更された時間遅延（ｔｄ）に基づき得る。１つの例として、フライトの時間（ｔＦ）は、信号の伝播および／または他の処理または分析のために（ａｃｃｏｕｎｔ ｆｏｒ）修正され得る。エコー信号（２２４）の伝播、ベースバンドエコー信号（２２６）の形成、ベースバンドエコー信号（２２６）の伝播などは、感知アセンブリ（１０２）の構成要素を介して、フライトの時間（ｔＦ）の計算に影響を与えることができる。ベースバンドエコー信号（２２６）における対象のサブセットに関係する時間遅延は、送信された信号（１０６）およびエコー（１０８）のフライトの時間を含み得、システム（１００）のアナログおよびデジタルのブロック（例えば、相関装置（７３１）および／またはパターンコード発生器（２２８）および／またはミキサー（２１０）および／または増幅器（２３８））における様々な信号の伝播の時間も含み得る。
【００６３】
これらの構成要素を介してデータおよび信号の伝播時間を決定するために、較正ルーチンが利用され得る。測定は、既知の距離のターゲットに対してなされ得る。例えば、１つ以上の送信された信号（１０６）は、送信（２０４）および／または受信アンテナ（２０６）から、既知の分離距離（１１０）にあるターゲットオブジェクト（１０４）に送られ得る。送信された信号（１０６）に関するフライトの時間は、上に記載されるように計算され得、フライトの時間は、計算された分離距離（１１０）を決定するために使用され得る。実際の、既知の分離距離（１１０）と計算された分離距離（１１０）との間の違いに基づいて、感知アセンブリ（１０２）の構成要素を介する伝播時間に基づく測定誤差が計算され得る。この伝播時間は、その後、感知アセンブリ（１０２）を使用して計算される、さらなるフライトの時間を修正する（例えば、短くする）ために使用され得る。
【００６４】
１つの実施形態では、感知アセンブリ（１０２）は、送信された信号（１０６）のいくつかのバーストを送信し得、相関装置（７３１）は、送信された信号（１０６）の反射されたエコー（１０８）に基づく、デジタル化されたエコー信号（７４０）に対するいくつかの相関値を計算し得る。いくつかの送信された信号（１０６）に対する相関値は、同じ又はほぼ同じ時間遅延（ｔｄ）に対して計算された相関値の、平均、中間、または他の統計的な測定の計算などによって、共通の時間遅延（ｔｄ）によってグループ化され得る。他の相関値より大きい、または最も大きいグループ化された相関値は、単一の相関値および／またはバーストのみの使用に関連して、フライトの時間（ｔＦ）および分離距離（１１０）をより正確に計算するために使用され得る。
【００６５】
図４は、図１に示された複数の送信信号（１０６）を介して計算され、平均化された相関値の一例を示す図である。相関値（４００）は、時間（例えば、フライトの時間の遅れやフライトの時間）を表す横軸（４０２）と、相関値（４００）の大きさを表す縦軸（４０４）と共に示されている。図４に示されるように、数個のピーク（４０６）、（４０８）が複数の相関値（４００）に基づいて識別することができ、当該複数の相関値（４００）は数個の送信信号（１０６）を介してグループ分けされる。ピーク（４０６）、（４０８）は１つ以上のターゲットオブジェクト（１０４）（図１に示す）に関連付けることができ、１つ以上の送信された信号（１０６）は当該１つ以上のターゲットオブジェクト（１０４）から反射する。一つ以上のピーク（４０６）、（４０８）に関連付けられた時間遅延（例えば、水平軸（４０２）に沿った時間）は、上述のとおり、ピーク（４０６）、（４０８）に関連付けられた一つ以上のターゲットオブジェクト（１０４）の分離距離（１１０）を計算するために使用することができる。
【００６６】
図５は、図２に示される感知アセンブリ（１０２）の別の概略図である。感知アセンブリ（１０２）は、無線フロントエンド（５００）及び処理バックエンド（５０２）を含むものとして図５に示されている。無線フロントエンド（５００）は、感知アセンブリ（１０２）のフロントエンド部（２００）（図２参照）に含まれる構成要素の少なくともいくつかを含み得、処理バックエンド（５０２）は感知アセンブリ（１０２）のバックエンド（２０２）（図２に示される）、および／またはフロントエンド（２００）の１つ以上の構成要素（図２に示されるフロントエンド送信機（２０８）および／または受信機（２１８））の少なくともいくつかを含む。
【００６７】
上述したように、受信されたエコー信号（２２４）は、回路（５０６）によって（例えば、図２に示すフロントエンド受信機（２１８）によって）調整することができ、一実施形態において、高速光通信システムに使用される回路（５０６）によって調整され得る。この調整は、増幅および／または量子化のみを含むことができる。信号（２２４）は、次いで、その後のフライト時間情報を抽出する元の送信シーケンスとの比較のために相関器（７３１）（後述される）に渡された信号（２２４）に基づいてデジタル信号を生成するデジタイザ（７３０）に渡すことができる。相関装置（７３１）及び調整回路をまとめて検知装置（１０２）のベースバンド処理部と呼ばれ得る。
【００６８】
上述したように、パターンコード発生器（２２８）は、パターン（例えば、デジタルパルスシーケンス）を生成し、当該パターンは、そのパターン信号（２３０）に伝達される。デジタルパルスシーケンスは、パルスを短くし、システム（１００）（図１に示す）の正確さ及び／又は精度を上げ、非常に広い帯域で送信された無線エネルギーを拡散するために、比較的高速であり得る。パルスが充分に短い場合、帯域幅は、超広帯域（ＵＷＢ）として分類されるのに充分な幅であり得る。結果として、システム（１００）は、無免許で世界的に（地域差はあるが）操作のために利用できる２２−２７ＧＨｚ＿ＵＷＢバンドおよび／または３−１０ＧＨｚのＵＷＢバンドで動作させることができる。
【００６９】
一実施形態では、デジタルパルスシーケンスは、例えば、比較的低電力のフィールドプログラマブルゲートアレイ（ＦＰＧＡ）（５０４）などの、１つ以上のデジタル回路によって生成される。ＦＰＧＡ（５０４）は、デジタルまたは論理システムを実行するために製造後に、顧客または設計者によって設定されるように設計された集積回路であってもよい。図５に示すように、ＦＰＧＡ（５０４）は、パルスコード発生器（２２８）と相関装置（７３１）の機能を実行するように構成することができる。パルスシーケンスは１つ以上の回路（５０８）によってバッファリングされることができ、及び／又は、１つ以上の回路（５０８）によって条件付けされ、ついでフロントエンド（５００）（例えば、フロントエンド送信機（２０８））の送信無線に直接渡される。
【００７０】
図６は、図２に示される感知アセンブリ（１０２）のフロントエンド（２００）の一実施形態の概略図である。感知アセンブリ（１０２）のフロントエンド（２００）は、代替的に、無線フロントエンド（５００）（図５に示す）又は感知アセンブリ（１０２）の「無線」と言われ得る。一実施形態では、フロントエンド（２００）は、共通の周波数基準発生器（６０４）（図６における「ＶＣＯチップ」）と共に、直接変換送信機（６００）（図６の「ＴＸチップ」）および受信機（６０２）（図６の「ＲＸチップ」）を含む。送信機（６００）は、フロントエンド送信機（２０８）（図２参照）を含むか、または表すことができ、受信機（６０２）はフロントエンド受信機（２１８）（図２に示す）を含むか、又は表すことができる。
【００７１】
共通の周波数基準発生器（６０４）は図２に示す発振装置（２１４）であるか、或いは図２に示す発振装置（２１４）を含むことができる。共通の周波数基準発生器（６０４）は、電圧制御発振器（ＶＣＯ）であってもよく、当該電圧制御発振器（ＶＣＯ）は発振信号（２１６）のような周波数基準信号を生成する。一実施形態では、基準信号（２１６）の周波数は、送信信号（１０６）（図１に示す）の指定された搬送波周波数又は所望の搬送波周波数の半分である。代替的に、基準信号（２１６）は、例えば、搬送波周波数と同じ周波数、キャリア周波数の整数倍または約数などの、別の周波数であり得る。
【００７２】
一実施形態では、基準発生器（６０４）は、搬送波周波数の半分の周波数の正弦波の周波数の基準信号（２１６）を放射する。基準信号は均等に分割され、送信機（６００）及び受信機（６０２）に供給される。基準発生器（６０４）は入力された制御電圧に応じて基準信号（２１６）の周波数を変えることができるかもしれないが、基準発生器（６０４）は、基準発生器（６０４）に固定周波数基準信号（２１６）を出力させるために、固定制御電圧で動作させることができる。送信機（６００）と受信機（６０２）との間の周波数のコヒーレンスを自動的に維持することができるので、これは許容できる。さらに、この構成では、位相ロックループ（ＰＬＬ）又は他の制御構造の必要性なしに送信機（６００）と受信機（６０２）との間のコヒーレンスを可能にすることができ、当該位相ロックループ（ＰＬＬ）又は他の制御構造は感知アセンブリ（１０２）が動作する精度又は速度を制限し得る。別の実施形態では、ＰＬＬは、搬送波周波数を安定化させる、あるいは搬送波周波数を制御するなど、他の目的のために加えてもよい。
【００７３】
基準信号（２１６）は分割され、送信機（６００）および受信機（６０２）に送信され得る。基準信号（２１６）は、上述したように、送信機（６００）及び受信機（６０２）を駆動する。送信機（６００）は送信アンテナ（２０４）（図２に示す）を駆動し得る（例えば、図１に示される送信信号（１０６）を送信するために作動させる）。受信機（６０２）は受信アンテナ（２０６）（図２参照）を介して反射エコー信号を受信することができ、当該受信アンテナ（２０６）は送信アンテナ（２０４）から分離される。これは、送信機（６００）と受信機（６０２）との間に配置されたＴ／Ｒ（送信／受信）スイッチの必要性を低減することができる。送信アンテナ（２０４）を駆動して、送信信号（１０６）（図１に示される）を送信するために、送信機（６００）はタイミング基準信号（２１６）をアップコンバート（ｕｐ−ｃｏｎｖｅｒｔ）し、ＲＦ送信信号（６０６）を、送信アンテナ（２０４）を介して送信することができる。一実施形態では、送信機（６００）の出力は、最大周波数または感知アセンブリ（１０２）（図１に示す）の１つまたは複数の他の周波数よりも高い周波数であってもよい。例えば、送信機（６００）からの送信信号（６０６）は、搬送波周波数であってもよい。送信信号（６０６）によって発生した損失を最小化させるか、または減少させるために、この送信信号（６０６）は、送信アンテナ（２０４）に直接供給することができる。
【００７４】
一実施形態では、送信機（６００）は、パターン発生器（６０４）および／またはパターンコード発生器（２２８）（図２に示す）から別々の同相（Ｉ）及び直角位相（Ｑ）のデジタルパターン又はデジタル信号を取ることができる。これは、送信信号（６０６）の増大した柔軟性を可能にすることができるか、および／または、送信信号（６０６）を「オン・ザ・フライ（ｏｎ  ｔｈｅ  ｆｌｙ）」中に変更するか、または送信信号（１０６）の送信中に変更することができる。
【００７５】
上記のように、受信機（６０２）は、基準発生器（６０４）からの周波数基準信号（２１６）のコピーを受け取ることができる。復帰エコー（１０８）（図１に示されている）は、受信アンテナ（２０６）（図２参照）によって受信され、エコー信号（２２４）として受信機（６０２）に直接供給することができる。エコー信号（２２４）は、エコー信号（２２４）が受信機（６０２）に入る前に、最小限の、または比較的短い距離を伝播するので、この構成は、システムに最大値を与えるか、または増大される可能な入力信号対ノイズ比（ＳＮＲ）を与えることができる。例えば、エコー信号（２２４）は伝搬しないか、あるいはさもなければ、送信／受信（ＴＸ／ＲＸ）スイッチなどのスイッチを介して通過する。
【００７６】
受信機（６０２）は、ベースバンド信号（例えば、図２に示すように、ベースバンドエコー信号（２２６））を生成するために、搬送波周波数の中心周波数スペクトルの比較的広いブロックをダウンコンバートすることができる。ベースバンド信号は、フライトの時間（ｔＦ）を抽出するために、相関装置（７３１）（図２参照）および／または１つ以上の他の部品などの感知アセンブリ（１０２）のベースバンドアナログ部（図１に示す）によって処理され得る。上述したように、この受信されたエコー信号（２２４）は、ＴＸパターン信号の遅延されたコピーを含む。遅延は、送信信号（１０６）及び対応するエコー（１０８）の往復、フライトの時間を表すか、及び／又は測定値であり得る。
【００７７】
周波数基準信号（２１６）は、位相は互いにシフトされるＩおよびＱ成分として、２つ以上の個々の信号が含有されるか、または含まれてもよい。位相がシフトした信号は、送信機（６００）および受信機（６０２）によって内部で生成することができる。例えば、信号（２１６）は、２つ又はそれ以上の位相シフトされた成分（例えば、Ｉ及びＱ成分又はチャネル）を含むように生成され得るか、または二つ以上の位相シフトされた成分を含むように変更される。
【００７８】
一実施形態では、フロントエンド（２００）は、送信信号（６０６）とエコー信号（２２４）の間の比較的高い分離（ｉｓｏｌａｔｉｏｎ）を提供する。この分離は、一つ以上の方法で達成することができる。まず、送信および受信要素（例えば、送信機（６００）および受信機（６０２））は、物理的に別々のチップ、回路、又は他のハードウェアに配置することができる。第二に、基準発生器（６０４）は、フィードスルーを低減することができるように、半分のキャリア周波数で動作することができる。第三に、送信機（６００）及び受信機（６０２）は物理的に互いに分離されている専用化された（例えば、別々の）アンテナ（２０４）、（２０６）を有することができる。この分離は、そうでなければ、システム（１００）に含まれ得るＴＸ／ＲＸスイッチの除去を可能にすることができる。ＴＸ／ＲＸスイッチの使用を回避することも、図１に示す送信信号（１０６）の送信とエコー（１０８）の受信の間のスイッチオーバー時間を削除することができる。スイッチオーバー時間を短縮することは、システム（１００）が比較的接近しているターゲットオブジェクト（１０４）に対して正確に及び／又はぴったりと距離を測定することができる。例えば、このスイッチオーバー時間を低減することで、送信信号（１０６）がエコー（１０８）として受信される前に、感知アセンブリ（１０２）が図１に示す分離距離（１１０）を測定するために、感知アセンブリ（１０２）とターゲットオブジェクト（１０４）の間で必要とされ得る閾値距離を減らすことができる。
【００７９】
図７は、図１に示されるシステム（１００）のベースバンド処理システム（２３２）の一実施形態の回路図である。一実施形態では、ベースバンド処理システム（２３２）は感知アセンブリ（１０２）（図１に示す）に含まれるか、またはシステム（１００）とは別々であるが、システム（１００）と（２３２）の間に１つ以上の信号を通信するためにシステム（１００）に動作可能に結合される。例えば、ベースバンド処理システム（２３２）は、エコー信号（２２６）（例えば、エコー信号（２２６Ａ）および／または（２２６Ｂ））を受信するためのフロントエンド受信機２１８（図２に示されている）と結合することができる。例えば、システム（２３２）の少なくとも一部は、フロントエンドレシーバ（２１８）と、図７に示す制御および処理ユニット（ＣＰＵ）（２７０）との間に配置されてもよい。ベースバンド処理システム（２３２）は、粗いおよび／または微細なおよび／または超微細なステージ決定を、上述のように提供することができる。
【００８０】
一実施形態では、システム（１００）は、（図１に示す）粗いステージ決定後に送信された信号（１０６）内の微細な送信パターン（例えば、微細なステージ決定のための送信パターン）を含む。例えば、粗いステージを使用して、エコー信号（２２６）（及び／又はフライトの時間）の時間遅延を計算するために第一の送信信号（１０６）（及び／又は１つ又はそれ以上の送信信号（１０６）のバースト）の第一の送信パターンを送信した後、第２の送信パターンは、フライトの時間（またはその一部）の微細なステージ決定のための後続の第二送信信号（１０６）に含めることができる。粗いステージにおける送信パターンは、微細なステージにおける送信パターンと同じであってもよい。あるいは、微細なステージの送信パターンは、送信信号（１０６）のパルスシーケンスパターンにおける一つ以上の異なる波形又はビットを含むことなどによって、粗いステージの送信パターンとは異なる場合があり得る。
【００８１】
ベースバンド処理システム（２３２）は、エコー信号（２２６）（例えば、（図１に示される）フロントエンド受信機（２１８）からの、エコー信号（２２６ＡのＩ成分またはチャネル及び／又はエコー信号（２２６Ｂ）のＱ成分またはチャネル）を受け取る。フロントエンド受信機（２１８）から受信されるエコー信号（２２６）は、図７における「ＩまたはＱベースバンド信号」と言われる。後述するように、システム（２３２）は、またパターンコード発生器（２２８）（図２に示す）からパターン信号（７２８）（図７の「ＩまたはＱ微細アライメントパターン」）を受信することができる。図２または７に示されていないが、パターンコード発生器（２２８）およびシステム（２３２）が互いに通信するために１つまたは複数の導電性経路（たとえば、バス、ワイヤ、ケーブルなど）によって結合され得る。システム（２３２）は、出力信号（７０２Ａ）、（７０２Ｂ）（まとめて、または個別に、出力信号（７０２）と呼ばれ、図７の「ＩまたはＱチャネルのためのデジタルエネルギーの推測」と呼ばれる）を提供することができる。一実施形態では、ベースバンド処理システム（２３２）は、アナログ処理系である。別の実施形態では、ベースバンド処理システム（２３２）は、構成要素と本質的にアナログおよび／またはデジタル信号で構成されたハイブリッドのアナログ及びデジタルのシステムである。
【００８２】
システム（２３２）によって受信されるデジタル化されたエコー信号（２２６）は、変換増幅器（７０４）（例えば、電流を電圧信号に変換するなど、ベースバンドエコー信号（２２６）を変換する増幅器）を用いて信号を変更するなど、ベースバンド処理システム（２３２）の信号調整要素によって調整され得る。一実施形態では、変換増幅器（７０４）は、トランスインピーダンス増幅器、又は図７に示される「ＴＩＡ」を含むか、または表す。信号調整要素は第２の増幅器（７０６）（例えば、制限増幅器または図７の「Ｌｉｍ．Ａｍｐ」）を含むことができる。変換増幅器（７０４）は比較的小さな入力信号で動作することができ、それは差分信号（７０８）を生成するためにシングルエンド（ｓｉｎｇｌｅ−ｅｎｄｅｄ）（例えば、非差分）信号であり得る（また、変換増幅器（７０４）及び／または１つまたは複数の他の構成要素によって増幅及び／又はバッファリングされ得る）。この差分信号（７０８）は振幅が比較的小さくてもよい。一実施形態では、差分信号（７０８）は次いで、差分信号（７０８）の利得を増加させる第２の増幅器（７０６）に渡される。代替的に、変換増幅器（７０４）が充分に大きい（例えば、振幅および／またはエネルギーの観点から）出力差分信号（７１０）を生成する場合、第２の増幅器（７０６）は、システム（２３２）に含まれていなくてもよい。第２の増幅器（７０６）は、比較的大きな利得を提供することができ、飽和出力（７１０）に耐えることができる。差分信号（７０８）における比較的小さな入力差が、より大きい出力信号（７１０）を生成できるように、第２の増幅器（７０６）の内部に正帰還があり得る。一実施形態では、第２の増幅器（７０６）は、出力信号（７１０）を生成するために、受信した差分信号（７０８）の振幅を量子化する。
【００８３】
第２の増幅器（７０６）は、入力差分信号（７０８）と時間の符号を決定するために使用されることができ、当該時間において符号が特定の値から別の値に変化する。例えば、第２の増幅器（７０６）は、一実施形態では、たった１ビットの精度のアナログ−デジタル変換器として作用し得る。代替的に、第２の増幅器（７０６）は、比較的速い速度で差分信号（７０８）を周期的にサンプリングする高速アナログデジタル変換器であってもよい。代替的に、ベースバンド信号（２２６）のタイミング情報を維持しながら、第２の増幅器は、振幅量子化器として作用することができる。第２の増幅器（７０６）としての制限増幅器の使用は、比較的高い利得と、比較的大きな入力ダイナミックレンジを供給することができる。結果として、制限増幅器に供給される比較的小さな差分信号（７０８）は、安定した（例えば、比較的高振幅および／または信号対雑音比）出力信号（７１０）をもたらすことができる。また、そうでなければ別の増幅器がオーバードライブされ得る（例えば、比較的高い振幅および／またはエネルギーを有する）より大きな差分信号（７０８）が、代わりに、制御された出力状態になり得る（例えば、リミティング制御器の制御動作）。第２の増幅器（７０６）は、比較的速いか、あるいはまったく回復時間がないかもしれない。その結果第２の増幅器（７０６）は、エラー状態または飽和状態に入り得ず、第２の増幅器７０６に入力される差分信号（７０８）に応答し続け得る。入力差分信号（７０８）が許容されるレベル（例えば、より低い振幅および／またはエネルギー）に戻ると、第２の増幅器（７０６）は、（入力差分信号（７０８）によって引き起こされる）オーバードライブ状態から回復のための他の増幅器に必要な時間を回避する可能性がある。第２の増幅器（７０６）は、このような回復時間の間に受信している入力信号を失うことを避けることができる。
【００８４】
出力差分信号（７１０）を（例えば、第２の増幅器（７０６）から）をスイッチ装置（７１２）（図７の「スイッチ」）は、出力差分信号（７１０）がどこで送信されるかを制御できる。例えば、イッチ装置（７１２）は、状態間を交互に変わり得、一つの状態で（例えば、粗い捕捉または決定状態）、スイッチ装置（７１２）はデジタイザ（７３０）に対する第１の経路（７１６）に沿った出力差分信号（７１０）に向け、ついで、相関器（７３１）に向ける。デジタイザ（７３０）は、プロセッサー、コントローラ、バッファ、デジタルゲート、遅延線、サンプラーなどの１つ以上のアナログまたはデジタルの構成要素を含み、受信した信号を、図３Ｂに関連して上述した、デジタルエコー信号（７４０）などのデジタル信号にデジタル化する。第１の経路（７１６）は、上述したように、フライトの時間の粗いステージの決定を提供するために使用される。一実施形態では、信号（７１０）は、粗いステージの決定のために、相関装置（７３１）に到達する前に別の増幅器（７１４）および／または１つ以上の他の構成要素を通過することができる。別の状態では、スイッチ装置（７１２）は、第２の経路（７１８）に沿った、異なる出力差分信号（７１０）を１つ以上の他の構成要素（後述する）に指示する。第２経路（７１８）は、例証された実施形態において、フライトの時間の微細なステージを決定するために使用される。
【００８５】
スイッチ装置（７１２）は、第１の経路（７１６）から第２の経路（７１８）への信号（例えば、出力差分信号（７１０）の流れの方向を交互に変え得る。スイッチ装置（７１２）の制御は、制御ユニット（１１２）（図１に示す）によって提供され得る。例えば、制御ユニット（１１２）は、信号が、スイッチ装置（７１２）を通過した後にどこを流れるのかを制御するために、制御信号をスイッチ装置（７１２）と通信することができる。
【００８６】
スイッチ装置（７１２）によって受信された出力差分信号（７１０）は第２の経路（７１８）の比較装置（７２０）に通信することができる。代替的に、スイッチ装置（７１２）（又は他の構成要素）は差分比較装置（７２０）に入力されるシングルエンド信号（７１０）に変換することができる。比較装置（７２０）は、パターン発生器（２２８）（図２に示す）からパターン信号（７２８）を受信する。受信パターン信号（７２８）は、図７において、「ＩまたはＱ微細アライメントパターン」と呼ばれる。パターン信号（７２８）を受信すると、システム（２３２）によって分析されるエコー信号（２２６）を生成するために使用される送信信号（１０６）で送信される同じ送信パターンのコピーを含んでいてもよい。代替的に、受信パターン信号（７２８）は、システム（２３２）によって分析されるエコー信号（２２６）を生成するために使用される送信信号（１０６）で送信される送信信号とは異なり得る。
【００８７】
比較装置（７２０）は、スイッチ装置（７１２）から受信した信号を受信パターン信号（７２８）と比較して、エコー信号（２２６）と受信パターン信号（７２８）の違いを識別する。
【００８８】
一実施形態では、受信パターン信号（７２８）は粗いステージの決定によって識別される遅延（例えば、フライトの時間）による時間遅延によって遅延されたパターンを含む。比較装置（７２０）は、ついでパターン信号（７２８）における時間遅延パターンとエコー信号（２２６）（例えば、増幅器（７０４）、（７１０）によって修正された）とを比較して、時間遅延パターン信号（７２８）とエコー信号（２２６）の間で重複または不一致を識別する。
【００８９】
一実施形態では、比較装置（７２０）は比較的高速のＸＯＲゲートとして作用する制限増幅器を含むか、或いは表すことができる。「ＸＯＲゲート」は、２つの信号を受信し、二つの信号が異なるとき第１の出力信号（例えば、「高」信号）を生成し、二つの信号が異ならないとき第２の出力信号（例えば、「低」信号）あるいは無信号を生成する装置を含む。
【００９０】
他の実施形態では、システムは粗いベースバンド処理回路（７１６）又は微細なベースバンド処理回路（７１８）を含んでもよい。この場合、スイッチ（７１２）も除去することができる。例えば、これは、システム全体のコストや複雑さを低減することである。別の例として、システムは、微細な精度を必要とせず、粗い回路部（７１６）の迅速な応答が望まれる。粗いステージ、微細なステージ、及び超微細な段階が、様々な性能基準をバランスさせるために、異なる時間で任意の組み合わせを使用することができる。インテリジェント制御は、触知できるコンピューター読み取り可能な記憶媒体（例えば、コンピュータメモリなど）に格納された（ソフトウェアモジュール又はプログラムなど）の一つ以上のセットに基づいてアセンブリ（１０２）を自動的に制御するプロセッサーまたはコントローラ（例えば、制御ユニット（１１２）など）によってオペレーターによって又は手動で提供され得る。インテリジェント制御は、手動または自動で一つ以上の他のステージからのフィードバックに基づいて、ステージが使用されるとき、および／またはれる切り替えることができる。例えば、粗い段階（例えば、フライトまたは分離距離の推定時間）からの決定に基づいて、感知アセンブリ（１０２）は、手動または自動で、微細な及び／又は超微細なステージに切り替え、さらにフライトまたは分離の時間を絞り込み、および／またはターゲットオブジェクト（１０４）の動きを監視する。
【００９１】
図７を引き続き参照すると、図８は、一実施形態において比較装置（７２０）が、時間遅延パターン信号（７２８）の部分（８０２）と、ベースバンドエコー信号（２２６）の部分（８００）とを比較する方法の一例を示す模式図である。パターン信号（７２８）とエコー信号（２２６）の一部（８００）、（８０２）だけが示されているが、比較装置（７２０）は、パターン信号（７２８）と、さらなるエコー信号（２２６）或いはすべてを比較することができる。エコー信号（２２６）の一部（８００）およびパターン信号（７２８）の一部（８０２）は互いに及び時間を示す横軸（８０４）上に配されて示されている。出力信号（８０６）は、比較装置（７２０）から出力される信号を表す。出力信号（８０６）は、エコー信号（２２６）の部分（８００）とパターン信号（７２８）の部分（８０２）との間の差（例えば、時間のずれ、重複量、又は他の尺度）を表す。比較装置（７２０）は、シングルエンド出力信号（８０６）又は出力信号（８０６）（図８に示すように、構成要素（８０６Ａ）および（８０６Ｂ）を有する）として差分信号を出力することができる。
【００９２】
一実施形態では、比較装置（７２０）は、エコー信号（２２６）の部分（８００）と時間遅延パターン信号（７２８）の部分（８０２）の違いに基づいて出力信号（８０６）を発生する。例えば、両方の部分（８００）、（８０２）の大きさ又は振幅が「高」（例えば、正の値）である場合、或いは両方の部分（８００）、（８０２）の大きさ又は振幅が「低」（例えば、零又は負の値）、比較装置（７２０）は、第１の値を持つように出力信号（８０６）を生成することができる。図示の例では、この第１の値は零である。両方の部分（８００）、（８０２）の大きさ又は振幅が異なるとき（例えば、一方が高い値を有し、他方が零又は低い値を有する）、比較装置（７２０）は、高い値などの第二の値を有する出力信号（８０６）を生成し得る。
【００９３】
図８の例において、エコー信号（２２６）の部分（８００）およびパターン信号（７２８）の部分（８０２）は、時間間隔（８０８）と（８１０）を除いて、同一または類似の値を有する。これらの時間間隔（８０８）と（８１０）の間で、比較装置（７２０）は、「高」値を持つように出力信号（８０６）を生成する。これらの時間間隔（８０８）と（８１０）の各々は、部分（８００）と部分（８０２）の間の時間のずれ、又は遅延を表すことができる。他の時間間隔の間、比較装置（７２０）は、図８に示すように、例えば「低」または零の値などの異なる値を持つように出力信号（８０６）を生成する。類似した出力信号（８０６）は、エコー信号（２２６）とパターン信号（７２８）の他の部分に対して生成することができる。
【００９４】
図９は、比較装置（７２０）がパターン信号（７２８）の部分（９０２）と、ベースバンドエコー信号（２２６）の部分（９００）とを比較する方法の他の例を示す図である。部分（９００）、（９０２）は、時間間隔（９０４）、（９０６）を除いて、同一または類似した値を有する。これらの時間間隔（９０４）と（９０６）の間で、比較装置（７２０）は、「高」値を持つように出力信号（８０６）を生成する。他の時間間隔の間、比較装置（７２０）は、例えば、「低」または零値と異なる値を持つように出力信号（８０６）を生成する。上述したように、比較装置（７２０）は、出力信号（８０６）の追加の部分又は波形を生成するパターン信号（７２８）とベースバンド信号（２２６）の追加の部分とを比較することができる。
【００９５】
図１０は、比較装置（７２０）がパターン（２３０）の信号の部分（１００２）とベースバンドエコー信号（２２６）の部分（１０００）とを比較する方法の他の例を示す図である。部分（１０００）、（１００２）は、図１０に示すように、経時的に同一または類似の値を有する。その結果、比較装置（７２０）によって生成される出力信号（８０６）は、部分（１０００）、（１００２）における差を表す任意の「高」値を含まない。上述したように、比較装置（７２０）は、出力信号（８０６）の追加の部分又は波形を生成するパターン信号（７２８）をベースバンド信号（２２６）の追加の部分と比較することができる。図８、図９及び図１０に示される出力信号（８０６）は、実施例としてのみ提供され、本明細書に開示される全ての実施形態に制限するように意図されていない。
【００９６】
比較装置（７２０）によって生成された出力信号（８０６）は、ベースバンドエコー信号（２２６）と粗いステージ測定により測定されたフライトの時間または時間遅延によって遅延されるパターン信号（７２８）との間の一時的な不整合を表す。一時的な不整合が、分離距離（１１０）（図１に示す）を決定するために、送信信号（１０６）（図１に示す）とエコー（１０８）（図１参照）のフライトの時間の追加の部分であり得る。
【００９７】
ベースバンド信号（２２６）とパターン信号（７２８）との間の一時的な不整合を時間のずれと呼ばれ得る。時間のずれは、時間間隔（８０８）、（８１０）、（９０４）、（９０６）で表すことができる。例えば、図８のデータストリーム（２２６）の時間のずれは、時間間隔（８０８）又は（８１０）、若しくはベースバンド信号（２２６）の部分（８０２）がパターン信号（７２８）の部分（８００）の後（ラグ（ｌａｇ））に追従する時間によって含まれる時間であり得る。同様に、ベースバンド信号（２２６）の部分（９０２）の時間のずれは、時間間隔（９０４）又は（９０６）であってもよい。図１０に示す例については、ベースバンド信号の部分（１０００）は、パターン信号（７２８）の部分（１００２）に遅れてはいない。上述したように、いくつかの時間のずれは、時間遅延パターン信号（７２８）とベースバンド信号（２２６）のより多くを比較することによって測定することができる。
【００９８】
ベースバンド信号（２２６）と時間遅延パターン信号との間の一時的な不整合を測定するために、出力信号（８０６）は、変換装置（７２０）から一つ以上のフィルタ（７２２）へ伝達されてもよい。一実施形態では、フィルタ（７２２）は、低域通過フィルターである。フィルタ（７２２）は、信号出力信号（８０６）のエネルギーに比例するエネルギー信号（７２４）を生成する。出力信号（８０６）のエネルギーは、出力信号（８０６）の波形（８１２）、（９１０）の大きさ（例えば、幅）で表される。ベースバンド信号（２２６）及びパターン信号（７２８）の間の一時的な不整合が増加すると、波形（８１２）、（９１０）の大きさ（とエネルギー）が大きくなる。結果として、エネルギー信号（７２４）によって搬送または通信される振幅および／またはエネルギーが増加する。逆に、ベースバンド信号（２２６）及び時間遅延パターン信号（７２８）の間の一時的な不整合が減少すると、波形（８１２）、（９１０）の大きさおよび／または振幅および／またはエネルギーも減少する。その結果、エネルギー信号（７２４）によって搬送又は通信されるエネルギーは減少する。
【００９９】
別の例として、ベースバンド信号（２２６）及び時間遅延パターン信号（７２８）が同一であるとき「低」信号を生成し、ベースバンド信号（２２６）及び時間遅延パターン信号（７２８）が異なるとき「高」信号を生成するＸＮＯＲ比較装置などの反対の極性を用いて、上記システムは実施することができる。この例では、ベースバンド信号（２２６）及びパターン信号（７２８）の間の一時的な不整合が増加すると、波形（８１２）、（９１０）の大きさ（及びエネルギー）が増加する。結果として、エネルギー信号（７２４）によって搬送またはが通信される振幅および／またはエネルギーが減少する。逆に、ベースバンド信号（２２６と時間遅延パターン信号（７２８）の間の一時的な不整合が減少すると、波形（８１２）、（９１０）の大きさ、振幅、および／またはエネルギーも増加する。その結果、エネルギー信号（７２４）によって搬送または通信されるエネルギーは増加する。
【０１００】
エネルギー信号（７２４）は、測定装置（７２６）（図７の「ＡＤＣ」）に通信することができる。測定デバイス（７２６）は、エネルギー信号（７２４）のエネルギーを測定することができる。測定されたエネルギーは、ついで、ベースバンド信号（２２６）と時間遅延パターン信号（７２８）との間の一時的な不整合によって表されるフライトの時間の追加部分を決定するために使用することができる。一実施形態では、測定装置（７２６）は、エネルギー信号（７２４）のエネルギーを測定するために、エネルギー信号（７２４）のエネルギー及び／又は振幅を周期的にサンプリングする。例えば、測定装置（７２６）は、アナログ・デジタル変換器（ＡＤＣ）を含むか、或いは表し、エコー信号（２２６）とパターン信号（７２８）の間の整合（又は不整合）を測定又は推定するために、エネルギー信号（７２４）の振幅および／またはエネルギーをサンプリングする。サンプリングされたエネルギーは、制御ユニット（１１２）又は他の出力装置または要素（図７の「ＩまたはＱチャネル用のデジタルエネルギー推測部」として示される）への出力信号（７０２）として測定装置（７２６）によって通信することができる。
【０１０１】
制御ユニット（１１２）（または出力信号（７１０）を受信する他の要素）は、エネルギー信号（７２４）が測定されたエネルギーを調べ、ベースバンド信号（２２６）と時間遅延パターン信号（７２８）との間に一時的な不整合で表されるフライトの時間の追加部分を計算することができる。制御ユニット（１１２）は、一時的な不整合に関連付けられている分離距離（１１０）の追加部分を計算することができる。一実施形態では、制御ユニット（１１２）は、測定されたエネルギーと１つ以上のエネルギー閾値とを比較する。異なるエネルギー閾値は、異なる量の一時的な整合と関連付けることができる。比較に基づいて、一時的な不整合が識別することができ、上述の粗いステージの決定を用いて算出されたフライトの時間に加えた。分離距離（１１０）は、ついでフライトの時間の粗いステージの決定と微細なステージの決定のフライトの時間の追加部分の組み合わせに基づいて算出し得る。
【０１０２】
図１１は、一実施例に従う、測定装置（７２６）と、制御ユニット（１１２）又は他の構成要素若しくは装置（図２に示す）に供給される出力信号の例である。出力信号（７０２）は、時間を表す水平軸（１１０２）とどのエネルギーを表す垂直軸（１１０４）と共に示されている。もしあれば、いくつかのエネルギー閾値（１１０６）は水平軸（１１０２）上に示されている。８つの出力信号（７２４Ａ−７２４Ｈ）と８つのエネルギー閾値（１１０６Ａ−１１０６Ｈ）が示されているが、代替的に、異なる数の出力信号（７２４）および／またはエネルギー閾値（１１０６）が使用されてもよい。
【０１０３】
測定装置（７２６）はエネルギーデータ出力信号（７０２）を生成するためにエネルギー信号（７２４）をデジタル化し得る。出力信号（７０２）がＣＰＵ（２７０）によって測定装置（７２６）（図７に示されている）から受信されると、出力信号（７０６）はエネルギー閾値（１１０６）を超えている出力信号（７０２）があるか否かを決定するためにエネルギー閾値（１１０６）と比較される。例えば、出力信号（７０２Ａ）に関連付けられたエネルギーより小さいエネルギー（例えば、下位の大きさ）を有する出力信号（７０２）が閾値（１１０６）を超えず、一方で出力信号（７０２Ａ）が閾値（１１０６Ａ）に接近或いは達する。出力信号７０２Ｂは、閾値１１０６Ａを超えるように決定されるが、閾値（１１０６Ｂ）を超えないように決定される。図１１に示すように、他の出力信号７０２は、いくつかの閾値（１１０６）を超え得るが、他の閾値（１１０６）を超えない。
【０１０４】
一実施形態では、異なるエネルギー閾値（１１０６）はエコー信号（２２６）と時間遅延パターン信号（７２８）との間の異なる一時的な不整合に関連付けられる。例えば、エネルギー閾値（１１０６Ａ）は、１００ピコ秒の一時的不整合を表すことができ、エネルギー閾値（１１０６Ｂ）は、１５０ピコ秒の一時的な不整合を表すことができ、エネルギー閾値（１１０６Ｃ）は、２００ピコ秒の一時的な不整合を表すことができ、エネルギー閾値（１１０６Ｄ）は、２５０ピコ秒の一時的な不整合を表すことができる、など。たとえば、（７２４Ｂ）は図８に示される状況の結果であり、（７２４Ｅ）は図９の状況の結果であり得る。
【０１０５】
出力信号（７０２）の測定されたエネルギーは閾値（１１０６）と比較することができ、測定されたエネルギーが閾値（１１０６）のうちの１つ以上を超えたかどうかを決定する。出力信号（７０２）のエネルギーに接近又は到達若しくは表される最大の閾値（１１０６）に関連付けられている一時的な不整合は、エコー信号（２２６）および時間遅延パターン信号（７２８）との間の一時的な不整合として識別することができる。一実施形態では、一時的な不整合は、閾値（１１０６Ａ）よりも小さいエネルギーを有するか又は閾値（１１０６Ａ）よりも小さいエネルギーを表す出力信号（７０２）のために識別され得る。
【０１０６】
エネルギー閾値（１１０６）は、感知アセンブリ（１０２）（図１に示す）から公知の分離距離（１１０）をターゲットオブジェクト（１０４）（図１に示す）に位置づけ、出力信号（７０２）によって表され又は到達し若しくは接近されるエネルギーのレベルを観察することによって確立され得る。
【０１０７】
フライトの時間の微細なステージの決定を行うことの追加又は代替として、超微細ステージ（例えば、解像度を増加させる）は、フライトの時間測定を精製する（その解像度を増加させる）、運動を追跡する、および／またはターゲットオブジェクト（１０４）（図１参照）の移動を検知するために使用され得る。一実施形態では、超微細なステージが様々な要素または微細なステージ（２２６）と同一かまたは異なるエコー信号の成分又はチャネルと比較することを含む。例えば、一実施形態では、粗いステージの決定は、上記のように一つ以上の送信信号（１０６）の、第１のセットまたはバーストの送信から受信されたエコー（１０８）に基づいてエコー信号（２２６）からフライトの時間を測定することができる。微細なステージの決定は、（送信された信号（１０６）の第１のセット又はバーストと同じか又は異なる送信を使用し得る）、その後の１以上の第２のセット又はバーストの送信から受信されたエコー（１０８）に基づいてエコー信号（２２６）間の一時的な不整合または重複の量を測定することができる。微細なステージの決定は、送信された信号（１０６）の第２のセット又はバーストからのエコー信号（２２６）と、上述のとおり粗いステージによって測定されたフライトの時間によって遅延した時間として受信したパターン信号（粗いステージの決定によって使用されるものと同一または異なる受信パターンであり得る）との間の一時的な不整合を測定し得る。一実施形態では、微細なステージの決定は、エコー信号（２２６）のＩおよび／またはＱ成分若しくはチャンネルを検査する。超微細なステージの決定は微細なステージの決定として、送信された信号（１０６）の第二セットまたはバーストからのエコー信号（２２６）、又は送信された信号（１０６）のその後の第３のセットからのエコー信号（２２６）の一時的な不整合を測定することができる。超微細なステージの決定は、エコー信号（２２６）と受信パターン信号との間の一時的な不整合（微細なステージの決定で使用される受信パターン信号と同じか異なっている）を測定することができ、これは粗いステージで測定されたフライトの時間だけ時間遅延される。一実施形態では、超微細のステージはＩおよび／またはＱ成分若しくはチャネルの一時的な不整合を測定する一方で、微細なステージは、エコー信号（２２６）と同じか異なる信号のＱ及び／又はＩ成分又はチャネルの一時的な不整合を測定する。Ｉ成分の一時的な不整合は、出力信号（７０２）として（上述のとおり）制御ユニット（１１２）（又は他の構成要素又は装置）に通信され、一方でＱ成分の一時的な不整合は、出力信号（１２２８）として制御ユニット（１１２）（又は他の構成要素または装置）に通信され得る。代替的に又は付加的に、ＩチャネルとＱチャネルの波形の時間のずれは、分離距離やターゲットの動きを計算するために、エコーの位相を解決するために調べることができる。
【０１０８】
上述したように、超微細のステージの決定が代替的にまたは追加的に粗いステージの決定と同様のプロセスを含むことができる。例えば、粗いステージの決定の受信パターンのＩチャネル及びデータストリームの異なるサブセットの相関値を決定するために、データストリームを検査され得る。当該相関値から、対象に対応するタイムオブフライトのサブセットを決定する。超微細なステージの決定は、受信パターンのＱチャネルとデータストリームの異なるサブセットの相関値を決定するためにデータストリームを使用して、それらの相関値から、対象に対応するタイムオブフライトのサブセットを決定することができる。ＩチャネルとＱチャネルのタイムオブフライトは、ターゲットへのフライトの時間及び／又は分離距離の時間を計算するために組み合わせる（例えば、平均化する）ことができる。超微細なステージの決定により算出された相関値が、ターゲットへのフライトの時間および／または分離距離の時間を決定するために粗いステージおよび／または微細なステージからの時間遅延に加えることができる付加的な時間遅延を計算するために使用することができる。代替的に又は付加的に、ＩチャネルとＱチャネルの波形の相関値は、分離距離やターゲットの動きを計算するために、エコーの位相を解決するために調べることができる。
【０１０９】
図１２は、図１に示すシステム（１００）のベースバンド処理システム（１２００）の別の実施形態の回路図である。一実施形態では、ベースバンド処理システム（１２００）は、ベースバンド処理システム（２３２）（図７に示す）に類似している。例えば、ベースバンド処理システム（１２００）は、感知アセンブリ（１０２）のフロントエンド受信機（２１８）、パターンコード発生器（２２８）、および／またはベースバンドプロセッサ（２３２）に結合されることによって感知アセンブリ１０２（図１に示す）に含まれてもよい。ベースバンド処理システム（１２００）は、ベースバンドエコー信号（２２６）とパターン信号のＩ成分およびＱ成分が処理および分析のために通って流れることができる２つ以上の並列の経路（１２０２）、（１２０４）を含む。例えば、第１の経路（１２０２）は、エコー信号（２２４）およびベースバンドエコー信号（２２６）のＩ成分を処理し、分析することができ、第２の経路（１２０４）は、エコー信号（２２４）およびベースバンドエコー信号（２２６）のＱ成分を処理し、分析することができる。例証された実施形態では、経路（１２０２）、（１２０４）の各々は、上記ベースバンド処理システム（２３２）を含む。代替的に、経路（１２０２）、（１２０４）のうちの１つ以上は、信号を処理および／または解析するための１つ以上の他の構成要素を含んでもよい。別の実施形態では、単一の経路（１２０２）、（１２０４）だけが、ベースバンドエコー信号（２２４）および／またはベースバンドエコー信号（２２６）の複数の異なる構成要素を処理および／または分析することができる。たとえば、経路（１２０２）は、第１の時間間隔の間に信号（２２４）および／または（２２６）のＩ成分を検査し、ついで異なる（例えば、後続又は先行する）第２の時間間隔の間、信号（２２４）および／または（２２６）のＱ成分を検査することができる。
【０１１０】
動作中、エコー信号（２２４）はフロントエンド受信機（２１８）によって受信され、別個のＩ信号（１２０６）およびＱ信号（１２０８）（本明細書ではＩおよびＱチャンネルともいう）に分離される。それぞれ別個のＩ信号（１２０６）およびＱ信号（１２０８）は、エコー信号（２２４）の対応するＩ成分またはＱ成分が含まれており、図７に示すベースバンド処理システム（２３２）に関連して上述した信号と同様に処理し、分析することができる。例えば、Ｉ信号（１２０６）及びＱ信号（１２０８）のそれぞれが、差分信号（図７に示す信号（７０８）に類似している）を他の変換増幅器（１２１２）（図７の変換増幅器（７０６）に類似している）に出力するように、各経路（１２０２）、（１２０４）において変換増幅器（１２１０）（変換増幅器（７０４）に類似している）によって受信および／または増幅することができる。増幅器（１２１２）は、スイッチ装置（１２１４）の供給される増加した利得（例えば、図７に示す信号（７１０）と同様）を有する信号を生成することができる。スイッチ装置（１２１４）は、スイッチ装置（７１２）（図７に示す）と同様とすることができ、フライトの時間の粗いステージの識別のために、上記の通り、増幅器（１２１２）から増幅器（１２１６）（図７に示す増幅器（７１４）と同様であってもよい）および／または相関装置（２３２）までの信号を通信することができる。
【０１１１】
スイッチ装置（７１２）（図７に示す）に関連して、上記のものと同様に、スイッチ装置（１２１４）は、信号を、増幅器（１２１２）から、比較装置（１２１８）（図７に示す比較装置（７２０）と同様でもよい）、フィルター（１２２０）（図７に示されたフィルタ（７２２）と同様であり得る）、および測定装置（１２２２）（図７に示した測定装置（７２６）と同様であり得る）へ向けることができる。比較装置（１２１８）は、おのおののパターンコード発生器（２２８）からの受信パターン信号のさまざまな成分を受け取ることができる。例えば、第１の経路（１２０２）の比較装置（１２１８）は、微細なステージのためのパターン信号のＩ成分を受け取ることができ、第２の経路（１２０２）の比較装置（１２１８）は、超微細なステージのための受信パターン信号のＱ成分を受け取ることができる。比較装置（１２１８）は、上述したことに類似して、受信パターン信号とＩ成分（１２２４）またはＱ成分（１２２６）の間の一時的な不整合を表す出力信号を生成する。例えば、第１の経路（１２０２）における比較装置（１２１８）は、ベースバンドエコー信号（２２６）のＩ成分と時間遅延受信パターン信号のＩ成分との間の一時的な不整合を表す（例えば、比例して）エネルギーを有する信号を出力することができる。第２の経路（１２０４）における比較装置（１２１８）は、ベースバンドエコー信号（２２６）のＱ成分と、時間遅延パターン信号（７２８）のＱ成分との間の一時的な不整合を表すエネルギーを有する別の信号を出力することができる。代替的に、Ｉ動作とＱ動作の間で共有することができる、図７に示すような単一の経路（７００があってもよい）。これは、ベースバンドエコー信号（２２６Ａ）と（２２６Ｂ）のＩ成分及びＱ成分の間に交互に供給するか、或いは切り替えることによって達成することができる。
【０１１２】
上述したように、比較装置（１２１８）から出力される信号のエネルギーは、フィルタ（１２２０）を通過することができ、エコー信号とパターン受信信号のＩ成分およびＱ成分に関連付けられている一時的な不整合をそれぞれ決定するために、測定装置（１２２２）によって測定される。これらの一時的な不整合を一緒に加え、粗いステージの決定手段によって決定されるフライトの時間に加えることができる。粗いステージの一時的な不整合の決定のフライトの時間の総和の分離距離（１１０）（図１に示すように）を、上述したように計算するためにベースバンドプロセッサ（２３２）によって使用することができる。エコー信号及び時間遅延パターン信号のＩ成分およびＱ成分が互いに約９０度だけ位相シフトされているので、Ｉ成分及びＱ成分を別々に検討することで、以下の式２にしたがって戻り信号（１０８）の搬送位相の計算が可能になり、送信信号（１０６）とエコー（１０８）の搬送信号の波長の１／８又はより良い（より小さい）大きさの分解能を提供することができる。代替的に、９０度以外の量によって分離される３種以上の成分が存在し得る。
【０１１３】
一実施形態では、上述した超微細なステージの決定は、分離距離（１１０）（図１に示す）を変更する比較的小さな動きを決定するために使用することができる。例えば、超微細なステージは、ベースバンドエコー信号（２２６）の対象のサブセットに関連付けられた分離距離（１１０）の一部内に比較的小さな動きを識別するために使用することができる。
【０１１４】
図１３は、一実施形態による、ベースバンドエコー信号（２２６）のＩ及びＱ成分の予測を示す図である。超微細なステージの決定は、ベクトルに対してベースバンド上にエコー信号（２２６）のＩ成分およびＱ成分の特性を投影するベースバンドプロセッサー（２３２）（図２に示す）を含むことができる。図１３に示すように、ベクトル（１３００）は、水平軸（１３０２）、縦軸（１３０４）に沿って示されている。データ信号（２３４）、（７０２）、（１２２８）、（２６０）、または他の信号若しくは当該信号のいくつか又はすべての組み合わせの検査によるバックエンド（２０２）または制御ユニット（１１２）若しくは他の処理装置または計算装置は、水平軸（１３０２）に沿ったエコー信号のＩ成分の特性（例えば、振幅）の投影として、及び縦軸（１３０４）に沿ったエコー信号のＱ成分の特性（例えば、振幅）の投影としてベクトル（１３００）を決定し得る。例えば、ベクトル（１３００）は、エコー信号のＩ成分を表す量だけ水平軸（１３０２）に沿った位置まで、及びエコー信号のＱ成分の振幅を表す量だけ縦軸に沿った位置まで延長し得る。搬送波の位相は、次のように計算することができる。
【０１１５】
【化２】
0006021189.tif 000003
【０１１６】
ここで、φは相であり、ＩはＩ投影（１３２０）であり、ＱはＱ投影（１３２１）である。搬送位相又は搬送波位相の変化は、以下の式を通し距離、又は距離または変化を計算するために使用することができる。
【０１１７】
【化３】
0006021189.tif 000004
【０１１８】
ここで、λは搬送波周波数の波長であり、φは位相であり、上記式２から算出される度で表される。
【０１１９】
ベースバンドプロセッサー（２３２）（図２に示す）は、追加の送信信号（１０６）（図１に示されている）から受信されたエコー（１０８）（図１参照）に基づいて、追加のベクトル（１３０６）、（１３０８）を決定することができる。ベクトル（１３０６）またはベクトル（１３０８）へのベクトル（１３００）の変化に基づいて、ベースバンドプロセッサ（２３２）は、対象のサブセットに関連付けられている分離距離（１１０）（図１参照）の部分内のターゲットオブジェクト（１０４）（図１参照）の動きを識別することができる。例えば、ベクトル（１３０６）の位置に向かう反時計方向（１３１０）のベクトル（１３００）の回転は、図１に示される感知アセンブリ（１０２）に向かうターゲットオブジェクト（１０４）の動き（またはターゲットオブジェクト（１０４）に向かう感知アセンブリ（１０２）の動き）を表し得る。ベクトル（１３０８）の位置に向かう時計回り方向（１３１２）におけるベクトル（１３００）の回転が、感知アセンブリ（１０２）から離れるターゲットオブジェクト（１０４）の動き（又はターゲットオブジェクト（１０４）に向かう感知アセンブリ（１０２）の動き）を表すことができる。代替的に、反時計回りの方向（１３１０）のベクトル（１３００）の動きが、感知アセンブリ（１０２）から離れるターゲットオブジェクト（１０４）の動き（またはターゲットオブジェクト（１０４）に向かって感知アセンブリ（１０２）の動き）を表すことができる一方で、ベクトル（１３００）の時計回り方向（１３１２）の動きは、図１に示すように感知アセンブリ（１０２）に向かうターゲットオブジェクト（１０４）の動き（又はターゲットオブジェクト（１０４）に向かう感知アセンブリ（１０２）の動き）を表すことができる。相関装置（２３２）は、検出装置（１０２）に向かうように、或いは検出装置（１０３）から離れるようにターゲットオブジェクト（１０４）を動かすことによって較正することができ、どの方向に動かすことで時計方向（１３１２）または反時計回り方向（１３１０）にベクトル（１３００）の回転に帰着するのかを決定する。
【０１２０】
上述の粗い、微細な、および／または超微細なステージの決定は、様々な組み合わせで使用することができる。例えば、検出装置（１０２）（図１に示す）からターゲットオブジェクト（１０４）（図１に示されている）までの凡その距離（図１に示す）が知られていない場合でも、粗いステージの決定が、分離距離（１１０）を計算するために使用することができる。代替的に、粗いステージは分離距離（１１０）のより正確な計算を得るために、微細なおよび／または超微細なステージの決定で使用することができる。粗いステージ、微細なステージ、超微細なステージが、様々な性能メトリックをバランスさせるために、異なる時間で任意の組み合わせで使用することができる。
【０１２１】
別の例として、分離距離（１１０）（図１参照）が知られている場合は、微細なステージまたは超微細なステージの決定は、まず粗いステージの決定を使用して、対象のビットを、識別を必要とせずに活性化することができる。例えば、システム（１００）（図１に示す）は「トラッキング」モードであってもよく、初期の既知の分離距離（１１０）からの更新が微細および／または超微細な状態の決定を用いて識別および／または記録されている。
【０１２２】
図１に示すシステム（１００）の説明に戻ると、別の実施形態では、システム（１００）は、様々なターゲットオブジェクト（１０４）から反射されたエコー（１０８）同士の間で識別する。例えば、システム（１００）のいくつかの用途では、送信された信号（１０６）は、複数のターゲットオブジェクト（１０４）から反射される。ターゲットオブジェクト（１０４）が感知アセンブリ（１０２）から別の分離距離（１１０）に位置している場合は、単一のベースバンドエコー信号（２２６）（図２に示す）は、異なるターゲットオブジェクト（１０４）からのエコーを表すビットの複数のシーケンスを表すことができる。後述するように、マスクは、ベースバンドエコー信号（２２６）と異なるターゲットオブジェクト（１０４）を区別するために、ベースバンドエコー信号（２２６）と、比較される相関窓内のパターンに適用することができる。
【０１２３】
図１４は、一実施形態による異なるターゲットオブジェクト（１０４）（図１に示す）から反射される、エコー（１０８）（図１に示す）を区別するための技術を示す。図１に示された第１の送信信号（１０６）（又は第１の送信信号（１０６）のシリーズ）が複数のターゲットオブジェクト（１０４）から反射するとき、パターン信号（２３０）（図２に示す）中のデジタルパルスシーケンス（例えば、ビットパターン）は、第２の送信信号（１０６）（又は第２の送信信号（１０６）のシリーズ）の伝送のために、第１の送信信号（１０６）におけるデジタルパルスシーケンスに対して変更することができる。第２の送信信号（１０６）のエコー（１０８）と、対応するベースバンドエコー信号（２２６）（図２参照）は、複数のターゲットオブジェクト（１０４）を区別するために（異なるターゲットオブジェクト（１０４）と、関連付けられた異なるフライトの時間および／または分離距離（１１０）を計算するために）、修正されたデジタルパルスシーケンスと比較することができる。
【０１２４】
図１４の第１のデジタル化されたエコー信号（１４００）は、送信信号（１０６）（図１に示す）が感知アセンブリ（１０２）（図１に示す）から第１の分離距離（１１０）（図１に示す）で、第１のターゲットオブジェクト（１０４）から反射するときに、生成され得るビットのシーケンスを表す。第２のデジタル化されたエコー信号（１４０２）は、送信信号（１０６）が検知アセンブリ（１０２）とは異なる第２の分離距離（１１０）である、異なる第２のターゲットオブジェクト（１０４）が反射したときに生成され得るビットのシーケンスを示す。デジタル化されたエコー信号（１４００）、（１４０２）を別々に生成する代わりに、検知アセンブリ（１０２）は、エコー（１０８）とは異なるターゲットオブジェクト（１０４）からのエコー（１０８）の組み合わせを表す結合されたデジタル化されたエコー信号（１４０４）を生成することができる。結合されたデジタル化されたエコー信号（１４０４）は、デジタル化されたエコー信号（１４００）、（１４０２）の組み合わせを表すことができる。
【０１２５】
相関窓（１４０６）は、それぞれのターゲットオブジェクト（１０４）（図１に示す）へのフライトの時間を決定するために対象のサブセット（１４０８）、（１４１０）などの、対象のサブセットを決定すべくデジタル化されたエコー信号（１４０１）、（１４０２）のいずれかと比較することができるビットのシーケンス（１４１４）を含む。しかしながら、ターゲットオブジェクト（１０４）からエコー（１０８）（図１に示す）が結合され、結合されたデジタル化されたエコー信号（１４０４）が生成されると、相関窓（１４０６）は１以上の複数のターゲットオブジェクト（１０４）へのフライトの時間を決定するには不正確か、或いは決定することができない。例えば、デジタル化されたエコー信号（１４００）、（１４０２）のそれぞれとの相関窓（１４０６）の別個の比較は、サブセット（１４０８）、（１４１０）に対して算出される＋６の相関値をもたらし得る一方で、デジタル化されたエコー信号（１４０４）に対する相関窓（１４０６）の比較は、結合されたデジタルエコー信号における第１ビット乃至第６ビット、第３ビット乃至第８ビット、及び第７ビット乃至第１２ビットを含むサブセットに対して＋５、＋４、及び＋４の相関値になり得る。その結果、ベースバンドプロセッサ（２３２）は、（図２に示す）は、異なるターゲットオブジェクト（１０４）（図１に示す）を区別することができない。
【０１２６】
一実施形態では、マスク（１４１２）は、相関窓（１４０６）内のビットのシーケンス（１４１４）を変更するために相関窓（１４０６）におけるビットのシーケンス（１４１４）に適用することができる。マスク（１４１２）は相関窓（１４０６）の１以上のビットの値を削除又は変更することができる。マスク（１４１２）は、相関窓（１４０６）のビットのシーケンス（１４１４）と異なるビットのシーケンスのシーケンス１４２０を有する修正された相関窓（１４１８）を生成する相関窓（１４０６）（例えば、ビットの値を乗算することによって）に適用されるビットのシーケンス（１４１６）を含むことができる。例証された例では、マスク（１４１２）は、最初の３ビット（“１０１”）の第一の部分と、最後の３ビット（“０００”）の第二の部分を含む。代替的に、異なるビットのシーケンスおよび／または異なる長さのビットのシーケンスを有する別のマスク（１４１２）を用いることができる。相関窓（１４０６）にマスク（１４１２）を適用すると、相関窓（１４０６）のビットのシーケンス（１４１４）の最後の３ビット（“０１１”）がなくなります。その結果、修正された相関窓（１４１８）の最初の３ビット（“１０１”）だけを含んでいる。別の実施形態では、マスク（１４１２）は、相関窓（１４０６）に付加ビットを付加する、及び／又は相関窓（１４０６）のビットの値を変化する。
【０１２７】
修正された相関窓（１４１８）内のビットのシーケンス（１４２０）はパターン信号（２３０）（図２に示す）のビットのシーケンスを変更するために使用することができ、当該パターン信号（２３０）は送信信号（１０６）（図１に示す）に含めるために送信機に伝達される。例えば、デジタル化され、合成信号を受信し、異なるターゲットオブジェクト（１０４）（図１に示す）間に見分けることができない後、ターゲットオブジェクト（１０４）に向けて送信されたパターンのビットのシーケンスは修正された相関窓（１４１２）のビットのシーケンスまたは異なるターゲットオブジェクト（１０４）の識別を助けるために、いくつかの他のビットのシーケンスにおけるビットのシーケンス（１４２０）を含むために変更され得る。追加の合成されたデジタル化されたエコー信号（１４２２）は、ビットのシーケンス（１４２０）を含む送信信号（１０６）のエコー（１０８）に基づいて受信することができる。
【０１２８】
修正された相関窓（１４１８）は、その後、異なるターゲットオブジェクト（１０４）（図１に示す）に関連付けられた対象のサブセットを識別するために、さらなるデジタル化されたエコー信号（１４２２）と比較され得る。例証された実施形態において、上述のように、修正された相関窓（１４１８）は対象の第１及び第２のサブセット（１４２４）、（１４２６）を識別するために、デジタル化されたエコー信号（１４２２）の異なるサブセットと比較することができる。例えば対象第１のサブセット（１４２４）と第２のサブセット（１４２６）は、デジタル化されたエコー信号（１４２２）の他のサブセットに対してより高いか、または最も高い相関値を有すると識別することができる。
【０１２９】
動作中に、送信信号（１０６）が複数のターゲットオブジェクト（１０４）から反射すると、信号（１０６）において送信されたパターンは、１以上のターゲットオブジェクト（１０４）がデジタル化されたエコー信号（２２６）の検査から識別できない場合に、送信信号（１０６）の連続したバーストの間に比較的迅速に変更することができる。修正されたパターンが、変更されたパターンを含む相関窓を使用して、デジタル化されたエコー信号（７４０）のターゲットオブジェクト（１０４）を区別するために使用することができる。
【０１３０】
他の実施形態では、送信信号（１０６）（図１に示す）に含まれるビットのデジタルパルスシーケンスは相関窓に含まれるビットのデジタルパルスシーケンスと異なっていてもよく、ベースバンドエコー信号（２２６）（図２に示す）と比較され得る。例えば、パターンコード発生器（２２８）（図２に示す）は異種のパターンを作成することができ、送信機（２０８）及びベースバンドプロセッサ（２３２）にパターン信号（２３０）（図２参照）における不均質なパターンを伝える。送信機（２０８）は送信信号（１０６）内のビットの第１のパターンを混在させることができ、ベースバンドプロセッサ（２３２）は送信信号（１０６）のエコー（１０８）（図１参照）に基づいて生成されたベースバンドエコー信号（２２６）と、異なるビットの第２のパターンと比較することができる。図１４に関連して上述した例について、相関窓（１４０６）中のビットのシーケンス（１４１４）は送信信号（１０６）に含めることができる一方で、マスクのビットのシーケンス（１４１６）又は相関窓（１４１８）のビットのシーケンス（１４２０）は、デジタル化されたエコー信号（１４２２）と比較することができる。このように異なるパターンを使用すると、上述したように、感知アセンブリ（１０２）（図１に示される）、が複数のターゲットオブジェクト（１０４）を区別することができる。このように異なるパターンを使用すると、さらに感知アセンブリ（１０２）（図１に示される）が、緩和、信号対雑音の改善、アンチジャミング、アンチスプーフィング、アンチイーブスドロッピング（ａｎｔｉ−ｅａｖｅｓｄｒｏｐｐｉｎｇ）を含むが、これらに限定されない、他の機能を実行することができる。
【０１３１】
図１５は、一実施形態に係るアンテナ（１５００）の概略図である。アンテナ（１５００）は、送信アンテナ（２０４）および／または受信アンテナ（２０６）として使用することができ、両方とも図２に示されている。代替的に、送信アンテナ（２０４）および／または（受信アンテナ（２０６）用に他のアンテナを用いてもよい。アンテナ（１５００）は、アンテナユニットセル（１５０４）の多次元（例えば、２次元）アレイ（１５０２）を含む。ユニットセル（１５０４）は、マイクロストリップパッチアンテナを表すか又は含むことができる。代替的に、ユニットセル（１５０４）は、別のタイプのアンテナを表すことができる。複数のユニットセル（１５０４）は導電式に互いに直列接続されて、直列給電型アレイ（１５０６）を形成する。例証的な実施形態では、ユニットセルは、線形直列式に接続されている。代替的に、ユニットセル（１５０４）は、別の形態で接続することができる。
【０１３２】
いくつかの直列給電型アレイ（１５０６）が、例証された実施形態において、導電式に並列に接続され、アレイ（１５０２）を形成している。図１５に示される、多数のユニットセル（１５０４）と直列給電アレ（１５０６）が例として設けられている。異なる数のユニットセル（１５０４）および／またはアレイ（１５０６）がアンテナ（１５００）に含まれてもよい。アンテナ（１５００）は、送信信号の生産的干渉及び／又は破壊的干渉を介して送信信号（１０６）（図１に示す）のエネルギーを集中するために複数のユニットセル（１５０４）を使用することができる。
【０１３３】
図１６は、感知アセンブリ（１０２）（図１に示す）のフロントエンド（２００）の一実施形態の概略図である。アンテナ（１５００）は、図１６に示すように、送信アンテナ（２０４）および受信アンテナ（２０６）として使用することができる。各アンテナ（１５００）は、比較的短い長さの伝送線路（１６００）によって、直接受信機（６０２）又は送信機（６００）に接続されることができる（例えば、アンテナ（１５００）と受信機（６０２）又は送信機（６００）との間に配置される他の構成要素なしに）。
【０１３４】
感知アセンブリ（１０２）のフロントエンド（２００）は、アンテナ（１５００）上に送信窓（１６０４）をもつ、金属あるいは導電性ハウジングなどの筐体（１６０２）内に収容することができる。代替的に、フロントエンド（２００）は、非金属（例えば、誘電体）の筐体内に収容されてもよい。アンテナ（１５００）上の窓は、筐体（１６０２）から切り出され得ないが、その代わりに送信信号（１０６）及びエコー（１０８）が、アンテナ（１５００）から、またはアンテナ（１５００）へと窓（１６０４）を通過させることができる筐体（１６０２）の部分を表すことができる。
【０１３５】
筐体（１６０２）はアンテナ（１５００）の周りを包み、その結果、アンテナは効果的に筐体（１６０２）の導電体内に受け止められ、当該筐体（１６０２）は、さらにアンテナ（１５００）間の分離を改善することができる。代替的に、非導電性の筐体（１６０２）の場合には、アンテナ（１５００）は、筐体（１６０２）並びに追加の金属製の箔および／または吸収材料によって完全に囲まれて得る。或いは他の手段が、アンテナ（１５００）間の分離を改善するために加えられ得る。一実施形態において、分離が充分に高い場合、送信および受信アンテナ（１５００）は、戻りのエコー（１０８）が充分に強い場合、同時に動作させることができる。これは、ターゲットが非常に近い範囲にある場合である。送信／受信スイッチなしに、感知アセンブリ（１０２）を動作させることができる場合である。
【０１３６】
図１７は、図１６のライン１７−１７に沿ったアンテナ（１５００）の一実施形態の断面図である。アンテナ（１５００）（図１７の「平面アンテナ」）は、電気絶縁材料（誘電体または他の非導電材料など）のカバー層（１７００）（図１７の“スーパーストレート（Ｓｕｐｅｒｓｔｒａｔｅ）”）を備えている。カバー層（１７００）のためのそのような材料の例は、石英、サファイア、種々のポリマーなどを含むが、これらに限定されるものではない。
【０１３７】
アンテナ（１５００）は、アンテナ（１５００）を支持するサブストレート（ｓｕｂｓｔｒａｔｅ）（１７０６）の表面上に配置することができる。導電性の接地面（１７０８）は、基板（１７０６）の反対側の面に配置されるか、または別の場所に配置されてもよい。
【０１３８】
カバー層（１７００）は、空隙（１７０４）（図１７の「空気」）によって、アンテナ（１５００）から分離することができる。代替的に、カバー層（１７００）とアンテナ（１５００との間の空隙は、少なくとも部分的に他の材料又は空気以外の流体によって充填されてもよい。別の代替例として、空隙はなくすることができ、カバー層（１７００）は、アンテナ（１５００）上に直接載置されてもよい。カバー層（１７００）は、環境および／または外部のオブジェクトによって引き起こされる機械的損傷からアンテナ（１５００）を保護することができる。一実施形態では、カバー層（１７００）は、ビームにアンテナ（１５００）によって放出された送信信号（１０６）のエネルギーを集中し、アンテナ（１５００）に向かって反射エコー（１０８）のエネルギーを集中させるレンズ効果を提供する。
【０１３９】
このレンズ効果は、送信された信号（１０６）及び／又はエコー（１０８）が、アンテナ（１５００）とタ−ゲットオブジェクト（１０４）の間に配置されている材料（例えば、テ流れン（登録商標）、ポリカーボネート、又は他のポリマーなどの絶縁体）の追加の層（１７０２）を通過することを可能にする（図１に示す）。例えば、感知アセンブリ（１０２）は、監視されているオブジェクト（例えば、前記感知アセンブリ（１０２）により測定されている流体のタンクの上端）に取り付けられることができ、その間レンズ効果は、感知アセンブリ（１０２）が前記タンクの上端を介して窓又は開口部を切ることなく、タンクの頂部を介して信号（１０６）を送信し、エコー（１０８）を受信することを可能にする。
【０１４０】
1つの実施形態において、サブストレート（１７０８）は、送信された信号（１０６）及び／又はエコー（１０８）のキャリア信号の波長よりも薄い対向面の間に厚さ寸法を有し得る。例えば、サブストレート（１７０８）の厚さは波長のおよそｌ／２０であり得る。空隙（１７０４）及び／又はスーパーストレート（１７００）の厚さはより大きく、波長の１／３などで有り得る。空隙（１７０４）及びスーパーストレート（１７００）の一方又は両方は、一緒に除去され得る。
【０１４１】
本明細書に記載されているシステム（１００）及び／又は感知アセンブリ（１０２）の１つ以上の実施形態は、分離距離（１１０）及び／又は前記感知アセンブリ（１０２）によって測定されるフライトの時間を使用する様々な適用に使用され得る。システム（１００）及び／又は感知アセンブリ（１０２）の適用の幾つかの具体例は、本明細書に記載されているが、システム（１００）又は感知アセンブリ（１０２）の全ての適用又は用途が、本明細書に記載されているものに限定されるわけではない。例えば、分離距離（１１０）の検出を使用する多くの適用（例えば、深さ測定など）は、システム（１００）及び／又は感知アセンブリ（１０２）を使用又は組み込むことができる。
【０１４２】
図１８は、封じ込めシステム（ｃｏｎｔａｉｎｍｅｎｔ  ｓｙｓｔｅｍ）（１８００）の１つの実施形態を例証する。システム（１８００）は、１つ以上の流体（１８０６）を保持又は格納する、流体タンク等の封じ込め装置（１８０２）を含む。感知アセンブリ（１０２）は、封じ込め装置（１８０２）上又はその上端（１８０４）に配置され得、送信された信号（１０６）を流体（１８０６）へ向かわせ得る。流体（１８０６）からの反射エコー（１０８）は、感知アセンブリ（１０２）と流体（１８０６）の上面との間の分離距離（１１０）を測定するための感知アセンブリ（１０２）によって受信される。感知アセンブリ（１０２）の位置は、どの程度の流体（１８０６）が封じ込め装置（１８０２）にあるかを測定するために、流体（１８０６）までの分離距離（１１０）が使用され得るように知られ、封じ込め装置（１８０２）の底部へと較正され得る。感知アセンブリ（１０２）は、本明細書に記載される１つ以上の粗い、微細な、及び／又は超微細なステージ決定技術を使用して、分離距離（１１０）を正確に測定することができ得る。
【０１４３】
代替的又は追加的に、感知装置（１０２）は、送信された信号（１０６）をポート（例えば、流体（１８０６）が通過して封じ込め装置（１８０２）へ入れられる充填口）へ向かわせ得、前記ポート又はその近くにある流体（１８０６）の移動を監視し得る。例えば、感知アセンブリ（１０２）から前記ポートまでの分離距離（１１０）が、エコー（１０８）の対象のビットが知られているように知られている場合、上記の超微細なステージ決定は、前記ポート又はその近くにある流体（１８０６）が動く（例えば、乱流）かどうかを測定するために恐らく使用される。この移動は、流体（１８０６）が封じ込め装置（１８０２）へ流れ込んでいるかそこから流れ出ていることを示し得る。感知アセンブリ（１０２）は、流体（１８０６）が封じ込め装置（１８０２）へ流れ込んでいるかそこから流れ出ているときの警告又は他の指標として、この測定を使用することができる。代替的に、感知アセンブリ（１０２）は、乱流及び／又は強度（例えば、移動の程度又は量）の存在又は不在が、様々な動作条件及びパラメータ（例えば、流体の量、流体の移動など）を示すことができる他の戦略上重要な位置に配置されるか、それを対象とするだろう。感知アセンブリ（１０２）は、定期的にこれらの測定モード（例えば、分離距離（１１０）を測定する１つのモード、移動を監視する別のモード）を切り替えることができ、次に、制御ユニット（１１２）へ前記データ及び測定を報告するだろう（図１に示す）。代替的に、制御ユニット（１１２）は、異なる時間に様々な種類の測定（例えば、分離距離（１１０）を測定する又は動きについて監視する）を行うように、感知アセンブリ（１０２）を指示するだろう。
【０１４４】
図１９は、領域制限システム（１９００）の１つの実施形態を例証する。システム（１９００）は、送信された信号（１０６）（図１に示す）を第１の領域（１９０２）（例えば、床面上の領域、空間内のボリュームなど）に向けさせる感知アセンブリ（１０２）を含み得る。人間オペレータ（１９０６）は、様々な任務を実行するために異なる、第２の領域（１９０４）内に配置され得る。第１の領域（１９０２）は、１つ以上の機械（例えば、自動ロボット又は他のコンポーネント）がオペレータ（１９０６）の安全のために作動するとき、オペレータ（１９０６）が外部に留まる制限領域、又はボリュームを表し得る。感知アセンブリ（１０２）は、オペレータ（１９０６）が第１の領域（１９０２）へ入るか否かを決定するために、送信された信号（１０６）を第１の領域（１９０２）へ向けさせ、受信されたエコー（１０８）を監視することができる。例えば、第１の領域（１９０２）へのオペレータ（１９０６）の侵入は、本明細書に記載される１つ以上の粗い、微細な、及び／又は超微細なステージ決定技術を使用した動きの識別によって検出され得る。感知アセンブリ（１０２）が第１の領域（１９０２）までの距離（例えば、第１の領域（１９０２）における床までの分離距離（１１０））を認識している場合、感知アセンブリ（１０２）は、上記のように、エコーに基づいて生成されたエコー信号における対象のサブセット内の動きを監視することができる。感知アセンブリ（１０２）が第１の領域（１９０２）へのオペレータ（１９０６）のエントリーを検知したとき、感知アセンブリ（１０２）は、オペレータ（１９０６）を傷つけることを避けるために第１の領域（１９０２）の近傍の機械の動作を無効化することができる制御ユニット（１１２）（図１に示す）に通知することができる。
【０１４５】
図２０は、ボリューム制限システム（２０００）の別の実施形態を示す。システム（２０００）は、安全ボリューム（２００２）（図２０の「安全領域」）に向けて送信された信号（１０６）（図１に示す）を向ける感知アセンブリ（１０２）を含み得る。自動又は手動の制御ロボット装置などの機械（２００４）は、安全ボリューム（２００２）内で動くように配置又は構成される。送信された信号（１０６）が通信されるボリュームは、保護ボリューム（２００６）と呼ばれ得る。保護領域（２００６）は、機械（２００４）の動作時に人間又は他のオブジェクトが外部に留まる制限領域又はボリュームを表わし得る。感知アセンブリ（１０２）は、領域（２００２）の外側だが保護領域（２００６）内で識別された動きがあるかどうかを決定するために、送信された信号（１０６）が保護ボリューム（２００６）を通るよう指示し、受信エコー（１０８）を監視することができる。例えば、保護ボリューム（２００６）への人間の侵入は、上記の超微細のステージ決定を使用した動きの識別により検出され得る。感知アセンブリ（１０２）が保護ボリューム（２００６）へのエントリーを検知したとき、感知アセンブリ（１０２）は、保護ボリューム（２００６）へエントリーした任意の人間又は物を傷つけることを避けるために機械（２００４）を無効化することができる、制御ユニット（１１２）（図１に示す）へ通知することができる。
【０１４６】
図２１は、感知アセンブリ（１０２）を含む移動システム（２１００）の１つの実施形態の概略図である。システム（２１００）は、感知アセンブリ（１０２）が結合された移動装置（２１０２）を含む。図示の実施形態において、移動装置（２１０２）は、動員ロボットシステムである。代替的に、移動装置（２１０２）は、自動車、地下掘削船、又は別の種類の乗り物など、別の種類の移動デバイスを表し得る。システム（２１００）は、オブジェクトの周り又はオブジェクトを通ってナビゲートするために、感知アセンブリ（１０２）によって行われた測定を使用し得る。システム（２１００）は、感知アセンブリ（１０２）と他のオブジェクトとの間の分離距離（１１０）の運動及び／又は測定の検出に基づいた自動ナビゲーション、及び／又はそのような測定及び検出に補助されるナビゲーションに有用であり得る。
【０１４７】
例えば、感知アセンブリ（１０２）は、感知アセンブリ（１０２）と移動装置（２１０２）の近傍にある複数のオブジェクト（２１０４Ａ−Ｄ）との間の分離距離（１１０）を測定し得る。移動装置（２１０２）は、移動装置（２１０２）がオブジェクト（２１０４Ａ−Ｄ）との接触を避けるための方向の転換又は変更を必要とする前に、どの程度移動することができるか測定するために、これらの分離距離（１１０）を使用し得る。
【０１４８】
１つの実施形態において、移動装置（２１０２）は、移動装置（１０２）の周りの囲まれた近傍（２１０６）のレイアウト又はマップを決定するために、複数の感知アセンブリ（１０２）を使用することができる。この近傍（２１０６）は、部屋、建物、トンネルなどの壁によって境界され得る。移動装置（２１０２）上の第１の感知アセンブリ（１０２）は、第１の方向に沿った近傍（２１０６）の１つ以上の境界（例えば、壁又は表面）までの分離距離（１１０）を測定するように配向され得、第２の感知アセンブリ（１０２）は、異なる（例えば、直交）方向に沿った近傍（２１０６）の１つ以上の他の境界までの分離距離（１１０）を測定するように配向され得る。近傍（２１０６）の境界までの分離距離（１１０）は、近傍（２１０６）の大きさ及び移動装置（２１０２）の現在位置に関する情報を移動装置（２１０２）へ提供することができる。移動装置（２１０２）は次に、近傍（２１０６）へ移動し、一方で１つ以上の感知アセンブリ（１０２）が近傍（２１０６）の１つ以上の境界までの更新された分離距離（１１０）を取得する。分離距離（１１０）の変化に基づいて、移動装置（２１０２）は、それ自体が近傍（２１０６）のどこに位置するのかを測定し得る。例えば、部屋の第１の壁までの初めの分離距離（１１０）が１０フィート（３メートル）と測定され、部屋の第２の壁までの初めの分離距離（１１０）が５フィート（１．５メートル）と測定された場合、移動装置（２１０２）はそれ自体を初めは部屋の中に位置づける。第１の壁までの後の分離距離（１１０）が４フィート（１．２メートル）であり、第２の壁までの後の分離距離（１１０）が７フィート（２．１メートル）である場合、移動装置（２１０２）は、それ自体が第１の壁に向かって６フィート（１．８メートル）、第２の壁に向かって２フィート（０．６メートル）動いたと決定し得る。
【０１４９】
１つの実施形態において、移動装置（２１０２）は、近傍（２１０６）における不動オブジェクトと移動オブジェクトとを区別するために感知アセンブリ（１０２）によって生成された情報を使用することができる。オブジェクト（２１０４Ａ）、（２１０４Ｂ）、及び（２１０４Ｄ）のうちの幾つかは、壁、家具などの静止オブジェクトであり得る。他のオブジェクト（２１０Ｃ）は、近傍（２１０６）を通り抜ける人間、他の移動装置などの移動オブジェクトで有り得る。移動装置（２１０２）は、移動装置（１０２）が移動すると、移動装置（２１０２）とオブジェクト（２１０４Ａ）、（２１０４Ｂ）、（２１０４Ｃ）、（２１０４Ｄ）との間の分離距離（１１０）の変化を追跡できる。移動装置（２１０２）とオブジェクト（２１０４）との間の分離距離（１１０）は、移動装置（２１０２）が移動する際に変化し得るため、静止オブジェクト（２１０４Ａ）、（２（１０４Ｂ））、（２１０４Ｄ）と移動オブジェクト（２１０４Ｃ）の両方は、移動装置（２１０２）へ移動するように思われる。感知アセンブリ（１０２）と移動装置（２１０２）によって観測された静止オブジェクト（２１０４Ａ）、（２（１０４Ｂ））、（２１０４Ｄ）のこの知覚された動きは、感知アセンブリ（１０２）及び移動装置（２１０２）の動きによるものである。移動装置（２１０２）の動き（例えば、速度）を計算するために、移動装置（２１０）は、オブジェクト（２１０４）までの分離距離（１１０）の変化を追跡し、分離距離（１１０）の変化に基づいて、オブジェクト（２１０４）に関連するオブジェクトの動きベクトルを生成することができる。
【０１５０】
図２２は、１つの実施例に従って、移動装置（２１０２）とオブジェクト（例えば、図２１のオブジェクト（２１０４））との間の分離距離（１１０）の変化に基づいて生成された、複数のオブジェクトの動きベクトルの概略図である。オブジェクトの動きベクトル（２２００）Ａ−Ｆは、経時的に分離距離（１１０）の変化を追跡することにより生成することができる。移動装置（２１０２）の動き特性（例えば、速度及び／又は方位（Ｈｅａｄｉｎｇ））を推測するためには、これらのオブジェクトの動きベクトル（２２００）は、オブジェクトの動きベクトル（２２００）を加算及び／又は平均することなどによって、組み合わせることができる。例えば、移動装置（１０２）の動きベクトル（２２０２）は、オブジェクトの動きベクトル（２２００）の平均であるベクトルを測定し、次に動きベクトル（２２０２）とは反対のベクトルを測定することによって推測することができる。複数のオブジェクトの動きベクトル（２２００）を組み合わせることによって、近傍での他の移動オブジェクトの移動に基づいているオブジェクトの動きベクトル（２２００Ｃ）、（２２００Ｆ）など、環境における他の移動オブジェクトに起因する疑似のオブジェクトの動きベクトルは補正される傾向がある。
【０１５１】
移動装置（２１０２）は、どのオブジェクトが環境の一部であるかを学習（記憶）することができ、移動装置（２１０２）の追跡運動に使用することができ、永続的なオブジェクトと呼ばれ得る。知られている永続的なオブジェクトに一致しないことが観察されている他のオブジェクトは、一時的なオブジェクトと呼ばれる。一時的なオブジェクトの、オブジェクトの動きベクトルは変動する軌道を有し、互いに又は永続的なオブジェクトとうまく一致しない場合がある。一時的なオブジェクトは、移動装置（２１０２）からのそのラジアル距離だけでなく、その軌道によって識別することができる（例えば、トンネルの壁はその距離にあるままである）が、一方で一次的なオブジェクトは移動装置（２１０２）のより近くを通過する。
【０１５２】
別の実施形態において、複数の移動装置（２１０２）は、互いの間で情報を通信するための感知システム（１００）及び／又は感知アセンブリ（１０２）を含み得る。例えば、移動装置（２１０２）は、移動装置（２１０２）がいつ互いの閾値距離にあるかを検出するために感知アセンブリ（１０２）をそれぞれ使用し得る。移動装置（２１０２）は、次いで、分離距離（１１０）を測定するために及び／又は動きを検知するために送信された信号（１０６）を送信することから、他の情報を通信するために送信された信号（１０６）を送信することへと切り替え得る。例えば、分離距離（１１０）を測定するためにデジタルパルスシーケンスを生成する代わりに、移動装置（２１０２）の少なくとも一つは、情報を通信するために別の移動装置（２１０２）に向けて送信されるパターン信号における（例えば、１と０の）ニ進コードシーケンスを使用し得る。他の移動装置（２１０２）は、送信されたパターン信号を識別し、パターン信号においてエンコードされた情報を解読するために送信された信号（１０６）を受信し得る。
【０１５３】
図２３は、医療適用において感知アセンブリ（１０２）を使用した一例を示す概略図である。感知アセンブリ（１０２）は、患者（２３００）の位置の変化及び／又は患者の比較的小さな動きを監視するために上述のステージの１つ以上（例えば、粗いステージ、微細なステージ、超微細なステージ）を使用し得る。例えば、上記の動きの超微細なステージ決定は、呼吸数の検出、心拍数の検出、粗大運動又は筋肉の動きを監視する等のために使用され得る。呼吸数、心拍数及び活動は、睡眠障害の診断に有用であり得、また検出は非接触性のものであるため観察される患者にとってもより快適なものとなる。一例として、患者（２３００）の腹部及び／又は胸部までの分離距離（１１０）は、上記のように、デジタルパルスシーケンスの１ビット以内（例えば、対象のビット）までへと決定される。感知アセンブリ（１０２）は、次いで、呼吸数及び／又は心拍数を追跡するために対象のサブセット内で胸部及び／又は腹部の比較的小さな動きを追跡できる。追加的又は代替的に、感知アセンブリ（１０２）は、胸部及び／又は腹部の動きを追跡し、患者（２３００）の呼気の換気量を推測するために、既知の、測定された、観察された、又は指定された大きさの腹部と運動を組み合わせることができる。追加的又は代替的に、感知アセンブリ（１０２）は、患者（２３００）の奇異呼吸を検出するために胸部と腹部の動きを一緒に追跡することができる。
【０１５４】
別の例として、感知アセンブリ（１０２）は、患者（２３００）の身体へ浸透する送信された信号（１０６）を通信し得、心臓などのさまざまな内部構造の動き又は絶対位置を感知し得る。これらの位置又は動きの多くは、比較的小さくわずかであり得、感知アセンブリ（１０２）は、内部構造の動き又は絶対位置を感知するために動き又は分離距離（１１０）の超微細のステージ決定を使用できる。
【０１５５】
非接触性の感知アセンブリ（１０２）を使用することは、患者（２３００）上で有線センサ（例えば、被験体に直接取り付けられ、ワイヤーにより医療モニターに戻って接続されるセンサ）を使用することが不可能又は不都合である状況で有用であり得る。例えば、従来の有線センサが邪魔になり得る、高活動性の状況においては、感知アセンブリ（１０２）は、分離距離（１１０）及び／又は遠くから患者（２３００）の動きを監視し得る。
【０１５６】
別の例において、感知アセンブリ（１０２）は、姿勢認識、及び全体的な動き又は活動感知のために使用することができる。これは、とりわけ、うつ病、疲労などの慢性的疾病、及び高齢者などのリスクのある患者の全体的な健康などのために、患者（２３００）の長期観察に使用することができる。うつ病などの比較的遅い発症を伴う疾患の場合には、感知アセンブリ（１０２）による長期観察は疾患の早期検出のために使用することができる。また、ユニットは、患者（２３００）に何も取り付けることなく、医療パラメーター又は量を検出することができるため、また、感知アセンブリ（１０２）は、患者（２３００）の知識や協力なしに患者（２３００）の測定を行うために使用され得る。これは、センサが取り付けられると動揺するであろう子供を扱うような多くの状況において有用であり得る。それはまた、神経質になったときに自分の息が迅速かつ浅くなるような、患者（２３００）の精神状態の指標を与えることもできる。これは、遠隔嘘検出器の機能性を生じさせる（ｇｉｖｅ  ｒｉｓｅ  ｔｏ）であろう。
【０１５７】
別の実施形態において、感知アセンブリ（１０２）によって生成されたデータは、１つ以上の他のセンサによって生成又は取得されたデータと組み合され得る。例えば、感知アセンブリ（１０２）による分離距離（１１０）の計算は、他のセンサデータと組み合わされる深さ測定として使用され得る。異なるセンサからのデータのそのような組み合わせは、本明細書においてセンサフュージョンと呼ばれ、検知される現象又はオブジェクト又は環境のより完全な画像を形成するためにセンサデータの２つ以上の別々のストリームの融合を含む。
【０１５８】
一例として、感知アセンブリ（１０２）を使用して計算された分離距離（１１０）は、カメラにより取得された２次元画像データと組み合わせられ得る。例えば、分離距離（１１０）なしでは、コンピューター又は他のマシンは、２次元画像内のオブジェクトの実際の物理的サイズを決定することができないことがある。
【０１５９】
図２４は、図１に示すシステム（１００）の適用の一例と一致する人間の被写体（２４００）、（２４０２）の２次元画像（２４０４）である。画像（２４０４）は、カメラなどの２次元画像形成装置によって取得され得る。画像形成装置は、セキュリティシステム、自動的に制御された（可動式）ロボットシステムなどの別のシステムによる使用のために、画像を取得し得る。人間の被写体（２４００）、（２４０２）は、ほぼ同じ大きさで有り得る（例えば、高さ）。実際には、人間の被写体（２４００）は、人間の被写体（２４０２）よりも画像（２４０４）を取得した画像形成装置から遠い。しかしながら、画像形成装置と被写体（２４００）、（２４０２）の各々との間の相対的な分離距離を決定するための画像形成装置の不可動性により、被写体（２４００）、（２４０２）を認識するために画像形成装置に依存しているシステムは、被写体（２４００）が遠くに位置しているかどうか（例えば、（２４００Ａ）の位置）、又は被写体（２４０２）よりもはるかに小さいかどうか（例えば、（２４００Ｂ）により表わされる大きさ）を決定することができないことがある。
【０１６０】
感知アセンブリ（１０２）（図１に示す）は、画像（２４０４）へ深さコンテキストを提供するために、画像形成装置（例えば、画像形成装置に又はその近くに配置された感知アセンブリ（１０２）を有する）と被写体（２４００）、（２４０２）の各々との間の分離距離（１１０）を測定することができる。例えば、１つ以上の動作のために画像（２４０４）を使用する画像形成装置又はシステムは、被写体（２４００）、（２４０２）がほぼ同じサイズであることを決定するために、被写体（２４００）、（２４０２）の各々までの分離距離（１１０）を使用し得、被写体（２４００）は被写体（２４０２）よりも遠くに位置する。
【０１６１】
この分離距離（１１０）（図１に示す）の情報及び２次元画像（２４００）を捕捉するために使用された光学についての情報により、被写体（２４００）、（２４０２）に実際の物理的サイズを割り当てることも可能である。例えば、画像（２４００）の異なる部分（例えば、ピクセル又はピクセル群）に包含される物理的な大きさを知り、各被写体（２４００）、（２４０２）までの分離距離（１１０）を知ると、１つ以上の動作のための画像（２４０４）を使用する画像形成装置及び／又はシステムは、被写体（２４００）、（２４０２）の大きさ（例えば、高さ及び／又は幅）を計算することができる。
【０１６２】
図２５は、１つの実施形態に一致した感知アセンブリ（１０２）（図１に示す）を含み得る感知システム（２５００）の概略図である。光レベルセンサ、放射線センサ、水分量センサ等のセンサの多くの種類が、センサとタ−ゲットオブジェクト（１０４）との分離距離（１１０）が変動すると変化し得るタ−ゲットオブジェクト（１０４）の測定を得る。図２５に示す感知システム（２５００）は、分離距離（１１０）が変化すると変化する情報を取得する１つ以上のセンサを含むか表し得、感知アセンブリ（１０２）を含むか表し得る。感知システム（２５００）及びタ−ゲットオブジェクト（１０４）からの距離情報（例えば、分離距離（１１０））は、センサと、センサによって読み取り又は監視されるオブジェクトとの間の距離に依存している他のセンサ情報の較正又は修正を提供することができる。
【０１６３】
例えば、感知システム（２５００）は、タ−ゲットオブジェクト（１０４Ａ）、（１０４Ｂ）及びタ−ゲットオブジェクト（１０４Ａ）、（１０４Ｂ）までの分離距離（１１０Ａ）、（１１０Ｂ）からの情報（例えば、光レベル、放射線、水分、熱等）を取得又は測定することができる。分離距離（１１０Ａ）、（１１０Ｂ）は、測定された情報を修正又は較正するために使用することができる。例えば、タ−ゲットオブジェクト（１０４Ａ）、（１０４Ｂ）が両方とも、同じ光レベル、放射線、水分、熱、などを提供する場合、異なる分離距離（１１０Ａ）、（１１０Ｂ）によって、結果的に、感知システム（２５００Ａ）、（２５００Ｂ）が、異なる光レベル、放射線、水分、熱等を測定することにつながる。分離距離（１１０Ａ）、（１１０Ｂ）を測定する感知アセンブリ（１０２）（図１に示す）により、タ−ゲットオブジェクト（１０４Ａ）及び／又は（１０４Ｂ）について測定された情報は、測定された情報が、異なる分離距離（１１０）について測定された情報を補正しないことに比べて、より正確であるように、補正され得る（例えば、タ−ゲットオブジェクト（１０４Ａ）については分離距離（１１０Ａ）の大きさに基づいて増加され、タ−ゲットオブジェクト（１０４Ｂ）については分離距離（１１０Ｂ）の大きさに基づいて減少させられる）。
【０１６４】
別の実施例として、感知システム（２５００）は、反射型パルスオキシメトリセンサ及び感知アセンブリ（１０２）を含み得る。光の二つ以上の異なる波長は、システム（２５００）によりタ−ゲットオブジェクト（１０４）の表面に向けられ、システム（２５００）の光検出器は散乱光を検査する。反射電力の比率は、タ−ゲットオブジェクト（１０４）中の血液の酸素化レベルを決定するために使用することができる。タ−ゲットオブジェクト（１０４）である患者の身体に直接取り付けられる（例えば係合されている）代わりに、感知システム（２５００）は、患者の身体から離れて間隔を置かれ得る。
【０１６５】
患者の身体の表面は、光源で照らすことができ、感知アセンブリ（１０２）（図１に示す）はタ−ゲットオブジェクト（１０４）までの分離距離（１１０）（例えば、皮膚の表面まで）を測定することができる。患者の血液の酸素化レベルは、感知システム（２５００）が患者から離れていることによって引き起こされた光の反射電力の減少のために較正又は補正することができる。
【０１６６】
別の実施形態において、図１に示す感知アセンブリ（１０２）及び／又はシステム（１００）は、さまざまなセンサシステムへ上記の機能を追加するために、他のセンサ、制御装置、コンピューターなどと通信することができる、スタンドアロンユニットとして提供することができる。ソフトウェアを実装されたシステムは、センサからの情報ストリームを収集及び集約し、感知された情報を制御システムへ配信することができ、そこでアセンブリ（１０２）及び／又はシステム（１００）によって測定された分離距離（１１０）は感知された情報と一緒に使用される。代替的又は追加的に、アセンブリ（１０２）によって測定される分離距離（１１０）は、他のセンサ、制御装置、コンピューター等と直接通信せずに、タイムスタンプ又は地理的位置などの他のマーカーと一緒に収集することができる。ソフトウェアを実装されたシステムは、次いで、測定値を互いに並べるために分離距離（１１０）と他のセンサデータを調整することができる。
【０１６７】
本明細書に記載されるセンサフュージョンの例は、単に感知アセンブリ（１０２）と１つの他のセンサの組み合わせだけに限定されない。追加のセンサは、感知アセンブリ（１０２）によって検出された分離距離（１１０）及び／又は動きを、２つ又はそれ以上の追加のセンサにより取得されたデータストリームと集約するために使用され得る。例えば、オーディオデータ（マイクから）、映像データ（カメラから）、及び感知アセンブリ（１０２）からの分離距離（１１０）及び／又は動きは、物理的環境のより完全な理解を与えるために集約することができる。
【０１６８】
図２８は、１つの実施形態と一致する感知アセンブリ（１０２）を含み得る感知システム（２８００）の概略図である。感知システム（２８００）は、タ−ゲットオブジェクト（２８０４）の横方向のサイズデータを取得するセンサ（２８０２）を備える。例えば、センサ（２８０２）は、ボックス又はパッケージの２次元画像を取得するカメラで有り得る。図２９は、センサ（２８０２）によって取得されるタ−ゲットオブジェクト（２８０４）の横方向のサイズデータを表わす概略図である。センサ（２８０２）（又はセンサ（２８０２）に通信結合された制御ユニット）は、長さ寸法（２８０６）及び幅寸法（２８０８）などのタ−ゲットオブジェクト（２８０４）の２次元のサイズを測定し得る。例えば、タ−ゲットオブジェクト（２８０４）の２次元の表面領域（２９００）は、センサ（２８０２）によって取得された画像から計算され得る。１つの実施形態において、センサ（２８０２）によって形成された画像のピクセル又は他のユニットの数は、タ−ゲットオブジェクト（２８０４）の表面領域（２９００）を決定するために数えられるか測定される。
【０１６９】
図３０は、図２８及び図２９に示す感知アセンブリ（１０２）及びタ−ゲットオブジェクト（２８０４）の別の図である。タ−ゲットオブジェクト（２８０４）のボリューム又は３次元の外表面領域を計算するために、感知アセンブリ（１０２）は、タ−ゲットオブジェクト（２８０４）の深さ寸法を測定するために使用され得る。例えば、感知アセンブリ（１０２）は、感知アセンブリ（１０２）と、センサ（２８０２）によって撮像されるタ−ゲットオブジェクト（２８０４）の表面（３０００）（例えば、上面）との間の分離距離（１１０）を測定し得る。感知アセンブリ（１０２）と、その上にタ−ゲットオブジェクト（２８０４）がある指示面（３００４）との間の分離距離（３００２）が知られている又は以前に測定されている場合、分離距離（１１０）は、タ−ゲットオブジェクト（２８０４）の深さ寸法（２８１０）を計算するために使用され得る。例えば、測定された分離距離（１１０）は、深さ寸法（２８１０）を計算するために、知られている又は以前に測定された分離距離（３００２）から減算することができる。深さ寸法（２８１０）は、タ−ゲットオブジェクト（２８０４）のボリュームを計算するために、タ−ゲットオブジェクト（２８０４）の横方向のサイズデータ（例えば、幅寸法（２８０８）及び長さ寸法（２８０６））と（例えば、乗算することによって）組み合わせられ得る。別の例において、深さ寸法（２８１０）は、タ−ゲットオブジェクト（２８０４）の各々または１つ以上の表面の表面領域を計算するために、横方向のサイズデータと組み合わせることができ、次いで、タ−ゲットオブジェクト（２８０４）の外側表面領域を計算するために組み合わせられ得る。感知アセンブリ（１０２）から得られた深さデータを、センサ（２８０２）によって得られた２次元、又は横方向のデータと組み合わせることは、タ−ゲットオブジェクト（２８０４）の大きさ、ボリューム、又は表面領域がパッケージの出荷、異なる大きさのタ−ゲットオブジェクトの識別又は区別などにおいて測定されるべき適用において有用であり得る。
【０１７０】
図２６は、感知システム（２６００）の別の実施形態の概略図である。感知システム（２６００）は、図１に示すシステム（１００）と類似し得る。例えば、システム（２６００）は、感知アセンブリ（１０２）（図１に示す）に類似する感知アセンブリ（２６０２）（「レーダーユニット」）を含み得る。感知アセンブリ（２６０２）は、図２６においてレーダーユニットとラベルされているが、代替的に、感知アセンブリ（２６０２）は、上記のようにシステム（１００）に関連して、分離距離（１１０）を測定する及び又はタ−ゲットオブジェクト（１０４）（例えば光）の動きを検出するために別の技術又は媒体を使用し得る。
【０１７１】
アセンブリ（２６０２）は、送信アンテナ（２０４）（図２に示す）に類似し得る送信アンテナ（２６０４）及び受信アンテナ（２０６）（図２に示す）と類似し得る受信アンテナ（２６０６）を含む。例示された実施形態において、アンテナ（２６０４）、（２６０６）はケーブル（２６０８）を使用してアセンブリ（２６０２）へ接続される。ケーブル（２６０８）は、アンテナ（２６０４）、（２６０６）がオン・ザ・フライのタ−ゲットオブジェクト（１０４）に対して再位置決めを可能であるために可撓性で有り得る。例えば、アンテナ（２６０４）、（２６０６）は、タ−ゲットオブジェクト（１０４）に対して、及び／又は、送信された信号（１０６）がタ−ゲットオブジェクト（１０４）へと送信され、及び／又はエコー（１０８）がタ−ゲットオブジェクト（１０４）から受信されるように、互いに、又は送信された信号（１０６）とエコー（１０８）の受信との間で移動され得る。
【０１７２】
アンテナ（２６０４）、（２６０６）は、システム（２６００）の擬似バイスタティック動作を提供するために移動させられ得る。例えば、アンテナ（２６０４）、（２６０６）は、所定の位置に固定されると失い得るエコー（１０８）を捕捉するために様々な又は任意の位置に移動することができる。１つの実施形態において、アンテナ（２６０４）、（２６０６）は、タ−ゲットオブジェクト（１０４）を介する送信された信号（１０６）の送信を検証するために、タ−ゲットオブジェクト（１０４）の対向する側に配置することができるだろう。タ−ゲットオブジェクト（１０４）を介する送信された信号（１０６）の送信の変化は、検知されるタ−ゲットオブジェクト（１０４）の物理的変化を示すことができる。
【０１７３】
この構想は、より多数のアンテナ（２６０４）及び／又は（２６０６）と共に使用することができる。例えば、複数の受信アンテナ（２６０６）は、他では検出が困難になり得るタ−ゲットオブジェクト（１０４）を検出するために使用できる。複数の送信アンテナ（２６０４）は、他では検出されないかもしれない送信された信号（１０６）で、タ−ゲットオブジェクト（１０４）を照らすために使用され得る。複数の送信アンテナ（２６０４）と複数の受信アンテナ（２６０６）は、同時に使用することができる。送信アンテナ（２６０４）及び／又は受信アンテナ（２６０６）は同時に使用することができ、送信された信号（１０６）のコピーを送信し又は複数のエコー（１０８）を受信し、又は感知アセンブリ（２６０２）は、送信アンテナ（２６０４）の間及び／又は受信アンテナ（２６０６）の間で切り替えることができ、時間をかけて観察（例えば、分離距離（１１０）及び／又は検出された動き）がなされる。
【０１７４】
図２７Ａ−Ｂは、タ−ゲットオブジェクトからの分離距離及び／又はタ−ゲットオブジェクトの動きを感知するための方法（２７００）の１つの実施形態を示す。方法（２７００）は、本明細書に記載のシステム又は感知アセンブリの一つ以上と組み合わせて使用され得る。
【０１７５】
（２７０２）では、決定はフライトの時間及び／又は分離距離の粗いステージ決定に使用するか否かに関してなされる。例えば、システム（１００）（図１に示す）のオペレーターは、手動でシステム（１００）への入力を提供し得、及び／又はシステム（１００）は自動的に上記の粗いステージ決定を使用するか否かを決定し得る。粗いステージ決定が使用される場合、方法（２７００）の流れは（２７０４）へ進む。代替的に、方法（２７００）の流れは、（２７１８）へ進み得る。１つの実施形態において、粗いステージは、上にも記載されているように、フライトの時間及び／又は分離距離を決定するために、送信された信号及び受信されたエコー信号の単一のチャネル（例えば、Ｉチャネル又はＱチャネルのいずれか）を使用する。
【０１７６】
（２７０４）で、発振信号は送信された信号を作成するために粗い送信パターンと混合される。例えば、発振信号（２１６）（図２に示す）は、上述したように、送信された信号（１０６）（図１に示す）を形成するために、送信パターン信号（２３０）（図２に示す）のデジタルパルスシーケンスと混合される。
【０１７７】
（２７０６）で、送信された信号はタ−ゲットオブジェクトに向けて送信される。例えば、送信アンテナ（２０４）（図２に示す）は、上述したように、タ−ゲットオブジェクト（１０４）（図１に示す）へ向かって送信された信号（１０６）（図１に示す）を送信し得る。
【０１７８】
（２７０８）で、タ−ゲットオブジェクトから反射される送信された信号のエコーが受信される。例えば、タ−ゲットオブジェクト（１０４）（図１に示す）から反射されるエコー（１０８）（図１に示す）は、上述のように、受信アンテナ（２０６）（図２に示す）により受信される。
【０１７９】
（２７１０）で、受信されたエコーは、ベースバンド信号を得るためにダウンコンバートされる。例えば、エコー（１０８）（図１に示す）は、ベースバンドエコー信号（２２６）（図２に示す）へ変換される。例えば、受信されたエコー信号（２２４）は、送信された信号（１０６）（図１に示す）を生成するために粗い送信パターン信号（２３０）（図２に示す）と混合された、同じ発振信号（２１６）（図２に示す）と混合され得る。エコー信号（２２４）は、上述のように、粗い受信データストリームとして、ベースバンドエコー信号（２２６）（図２に示す）を生成するために、発振信号（２１６）と混合することができる。
【０１８０】
（２７１２）で、ベースバンド信号は、粗い受信データストリームを得るためにデジタル化される。例えば、それは、デジタル化されたエコー信号（７４０）を生成するためのデジタイザー（７３０）を含むベースバンドプロセッサー（２３２）を通過し得る。
【０１８１】
（２７１４）で、相関窓（例えば、粗い相関窓）と粗いマスクは、対象のサブセットを識別するためにデータストリームと比較される。代替的に、マスク（例えば、データストリームの１つ以上の部分を除去するか、又は変更するマスク）は使用されないかもしれない。１つの実施形態において、送信された信号（１０６）（図１に示す）に含まれる粗い送信パターンの全て又は一部を含む粗い相関窓（３２０）（図３に示す）は、上述のように、デジタル化されたエコー信号（７４０）（図２に示す）の種々のサブセット又は部分と比較される。相関値は、データストリーム（２２６）の種々のサブセットについて計算することができ、対象のサブセットは、最大又は他の１つ以上の対象のサブセットよりも大きい相関値を有するサブセットを識別するなど、相関値を比較することによって識別され得る。
【０１８２】
（２７１６）で、送信された信号とエコーのフライトの時間は、対象のサブセットの時間遅延に基づいて計算される。このフライトの時間は、粗いフライトの時間と呼ぶことができる。上述したように、対象のサブセットは、送信された信号（１０６）（図１に示す）の送信と対象のサブセットの第１のビット（又は目的のサブセット内の他のビット）との間の時間の遅れ（ｔｄ）に関連付けることができる。フライトの時間は時間の遅れと等しくなり得、又はフライトの時間は時間の遅れに基づくことができ、補正又は相関因子（例えば、信号の伝搬のため）は、上述のように、フライトの時間に対する時間の遅れを修正するために使用される。
【０１８３】
（２７１８）で、決定は、分離距離の微細なステージ決定を使用するか否かに関してなされる。例えば、決定は、上述のように、分離距離（１１０）（図１に示す）の測定をさらに精製するよう微細なステージ決定を使用するために、及び／又はタ−ゲットオブジェクト（１０４）（図１に示す）の動きを監視又は追跡するために、自動的又は手動でなされる。微細なステージが使用されると、方法（２７００）の流れは（２７２０）へ進む。一方、微細なステージが使用されないと、方法（２７００）の流れは（２７０２）へ戻り得る。
【０１８４】
（２７２０）で、発振信号は送信された信号を生成するためにデジタルパルスシーケンスと混合される。上述したように、微細なステージで使用される送信パターンは、粗いステージで使用される送信パターンと異なり得る。代替的に、送信パターンは、粗いステージと微細なステージについて同じであってもよい。
【０１８５】
（２７２２）で、送信された信号は（２７０６）に関連して上述されるのと同様に、タ−ゲットオブジェクトに向かって伝達される。
【０１８６】
（２７２４）で、タ−ゲットオブジェクトで反射された送信された信号のエコーは、（２７０８）に関連して上述されるのと同様に受信される。
【０１８７】
（２７２６）で、受信されたエコーは、ベースバンド信号を得るためにダウンコンバートされる。例えば、エコー（１０８）（図１に示す）は、ベースバンドエコー信号（２２６）（図２に示す）に変換される。
【０１８８】
（２７２８）で、ベースバンド信号（２２６）は微細な受信パターンと比較される。微細な受信パターンは、上述のように粗いフライトの時間によって遅延することがある。例えば、受信パターンを伴うベースバンド信号を、同じ開始する又は初期の時間基準を有する受信ベースバンド信号と受信パターンの両方と比較する代わりに、受信パターンは、粗いステージ決定によって測定された時間遅延と同じ時間だけ遅延し得る。この遅延された受信パターンは、「粗く遅延した微細な抽出パターン」（７２８）としても呼ばれ得る。
【０１８９】
（２７３０）で、微細なデータストリームと時間が遅延した受信パターンとの間の時間の遅れが計算される。この時間の遅れは、図８から１１と関連して上述されるように、微細なデータストリーム中の波長と時間が遅延した受信パターンとの間の一次的重複又は不一致を表し得る。時間の遅れは、微細なデータストリームと時間が遅延した受信パターンとの間の重複を示す波長のエネルギーとして測定され得る。上述したように、時間の遅れを表わす期間（８０８）、（８１０）、（９０４）、（９０６）（図８及び図９に示されている）は計算され得る。
【０１９０】
（２７３２）で、粗いステージによって測定されたフライトの時間（例えば、「フライトの時間の推測部」）は、時間の遅れによって精製される。例えば、（２７３０）で計算された時間の遅れは（２７１６）で計算されたフライトの時間に加えられ得る。代替的に、時間の遅れは、指定された又は知られている分離距離（１１０）（図１に示す）に関連する又はそれから計算されるフライトの時間など、指定されたフライトの時間に加えられ得る。
【０１９１】
（２７３４）で、（（２７３２）で計算された時間の遅れを含む）フライトの時間は、上述したように、タ−ゲットオブジェクトからの分離距離を計算するために使用される。方法（２７００）の流れは、次にループのような様式で（２７０２）へ戻る。上記の方法は、Ｉ及びＱチャネルの違いを引き出すために、図１２のような並行な経路、又は上述のようなスイッチ又は多重の経路を使用して、別々又は並行してＩ及びＱチャネルについて繰り返すことができる。これらの違いは、エコーの位相を分解するために検査することができる。
【０１９２】
１つの実施形態において、微細なステージ決定（例えば、（２７３２）から（２７２０）に関連して記載された）の性能は、上述したように、送信された信号とエコー信号のチャネルのＩ又はＱ成分に関して発揮される。例えば、エコー信号（２２６）（図２に示す）のＩチャネルは、上述のように、時間が遅延した受信パターンとエコー信号（２２６）との間の一次的重複の量を測定するために、検査され得る。超微細ステージ決定を行うために、類似の検査が他の成分又はＱチャネルなどのエコー信号のチャネルに対して行われ得る。例えば、エコー信号（２２６）のＩチャネル分析（例えば、微細なステージ）は、同一のエコー信号（２２６）のＱチャネル分析（例えば、超微細なステージ）とともに並行して又は同時に実行され得る。代替的に、微細なステージと超微細なステージは連続的に実行され得、一次的重複を決定するためにＱ又はＩチャネルの一方が検査される前に、エコー信号と時間が遅延した受信パターンの時間の重複を測定するためにＩ又はＱチャネルのもう一方が検査される。ＩチャネルとＱチャネルの一次的重複は、フライトの時間の粗いステージ決定又は推測値に加えることができる時間の遅れ（例えば、Ｉ及びＱチャネルの時間の遅れ）を計算するために使用される。このフライトの時間は、上述したように分離距離（１１０）（図１に示す）を決定するために使用することができる。代替的又は追加的に、ＩチャネルとＱチャネルの波形の時間の遅れは、分離距離又は対象の動きを計算するためにエコーの位相を分解するべく調べることができる。
【０１９３】
上述したように、超微細なステージ決定は、代替的に又は追加的に粗いステージ決定と類似するプロセスを含み得る。例えば、粗いステージ決定は、上述のように、データストリームの異なるサブセットの相関値を決定するために受信パターンのＩチャネル及びデータストリームを検査し得、それらの相関値から、対象のサブセットと対応するフライトの時間を測定し得る。超微細なステージ判定は、前述のように、データストリームの異なるサブセットの相関値を測定するために受信パターンのＱチャネル及びデータストリームの使用することができ、それらの相関値から、対象のサブセット及びフライトの時間を測定することができる。ＩチャネルとＱチャネルからのフライトの時間は、ターゲットに対するフライトの時間及び／又は分離距離を計算するために組み合わせることができる（例えば、平均化）。超微細なステージ決定によって計算された相関値は、ターゲットに対するフライトの時間及び／又は分離距離を決定するために粗いステージ又は微細なステージから時間遅延に加え得る追加の時間を計算するために使用することができる。代替的又は追加的に、ＩチャネルとＱチャネルの波形の相関値は、分離距離やターゲットの動きを計算するために、エコーの位相を分解すべく検査することができる。
【０１９４】
他の実施形態において、他の方法（例えば、タ−ゲットオブジェクトまでの分離距離を測定するための方法）が提供される。方法は、分離距離によって送信アンテナから分離されているタ−ゲットオブジェクトに向けて、送信アンテナからの電磁気の第１の送信された信号を送信することを含む。第１の送信された信号は、デジタルビットの第１のシーケンスを表わす第１の送信パターンを含む。方法はまた、タ−ゲットオブジェクトから反射される第１の送信された信号の最初のエコーを受信する工程、第１のエコーを第１のデジタル化されたエコー信号へと変換する工程、及び第１の送信された信号とエコーのフライトの時間を検査するために、デジタルビットの第２のシーケンスを表わす第１の受信パターンを第１のデジタル化されたエコー信号と比較する工程を含む。
【０１９５】
別の態様において、方法はフライトの時間に基づいてタ−ゲットオブジェクトまでの分離距離を計算する工程ことも含む。
【０１９６】
別の態様において、方法はまた、発振信号を生成し、第１の送信された信号を形成するために、発振信号の少なくとも第１の部分を第１の送信パターンと混合する工程を含む。
【０１９７】
別の態様において、第１のデジタル化されたエコー信号へ第１のエコーを変換する工程は、発振信号の少なくとも第２の部分を、タ−ゲットオブジェクトから受信した第１のエコーに基づいているエコー信号と混合する工程を含む。
【０１９８】
別の態様において、第１の受信パターンを比較する工程は、サブセットに対する相関値を計算するために、第１の受信パターンのデジタルビットのシーケンスを第１のデジタル化されたエコー信号のサブセットに一致させることを含む。相関値は、第１の受信パターンにおけるデジタルビットのシーケンスと第１のデジタル化されたエコー信号のサブセットとの間の一致の程度を表す。
【０１９９】
別の態様において、デジタル化されたエコー信号のサブセットの少なくとも１つは、相関値に基づいて、対象のサブセットとして識別される。フライトの時間は、送信された信号の送信と対象のサブセットの発生の間の時間遅延に基づいて決定することができる。
【０２００】
別の態様において、方法はまた、タ−ゲットオブジェクトに向かって電磁気の第２の送信された信号を送信する工程を含む。第２の送信された信号は、デジタルビットの第２のシーケンスを表わす第２の送信パターンを含む。方法は、タ−ゲットオブジェクトから反射された第２の送信された信号の第２のエコーを受信する工程、第２のエコーを第２のデジタル化されたエコー信号へ変換する工程、及び第２のベースバンドエコー信号の１つ以上の波形と第２の受信パターンの１つ以上の波形との間の一時的な不整合を測定するために、デジタルビットの第３のシーケンスを表わす第２の受信パターンを第２のベースバンドエコー信号と比較する工程を含む。第２の受信パターンと第２デジタル化されたエコー信号との間の時間の遅れを表わす一時的な不整合が抽出され、次いで一時的な時間の遅れが計算される。
【０２０１】
別の態様において、方法はフライトの時間に時間の遅れを加える工程も含む。
【０２０２】
別の態様において、第２エコーを第２のデジタル化されたエコー信号へ変換する工程は、第２のベースバンドエコー信号の同相（Ｉ）チャネル及び第２のベースバンドエコー信号の直角位相（Ｑ）を形成する工程を含む。第２受信パターンを比較する工程は、一時的な不整合のＩ成分を決定するために、第２受信パターンのＩチャネルを第２のデジタル化されたエコー信号と比較する工程、及び一時的な不整合のＱ成分を決定するために、第２受信パターンのＱチャネルを第２のデジタル化されたエコー信号のＱチャネルと比較する工程を含む。
【０２０３】
別の態様において、フライトの時間に加えられた時間の遅れは、一時的な不整合のＩ成分及び一時的な不整合のＱ成分を含む。
【０２０４】
別の態様において、方法は、一時的な不整合のＩ成分及び一時的な不整合のＱ成分を検査することにより、第１エコー及び第２エコーの相を分解する工程を含み、ここでフライトの時間は分解された相に基づいて計算される。
【０２０５】
別の態様において、第１送信パターン、第１受信パターン、第２送信パターン、又は第２受信パターンの少なくとも２つは互いに異なる。
【０２０６】
別の態様において、第１送信パターン、第１受信パターン、第２送信パターン、又は第２受信パターンの少なくとも２つはデジタルビットの共通のシーケンスを含む。
【０２０７】
他の実施形態において、送信機、受信機、及びベースバンドプロセッサーを含むシステム（例えば、感知システム）が提供される。送信機は、分離距離によって送信アンテナから離れているタ−ゲットオブジェクトに向かって送信アンテナから通信される電磁気の第１の送信された信号を生成するように構成される。第１の送信された信号は、デジタルビットのシーケンスを表わす最初の送信パターンを含む。受信機は、ターゲットオブジェクトから反射される第１の送信された信号のエコーに基づいている第１のデジタル化されたエコー信号を生成するように構成される。相関装置は、第１の送信された信号とエコーのフライトの時間を決定するために、デジタルビットの第２シーケンスを表わす第１受信パターンを、第１のデジタル化されたエコー信号と比較するように構成される。
【０２０８】
別の態様において、ベースバンドプロセッサーは、フライトの時間に基づいて、タ−ゲットオブジェクトまでの分離距離を計算するように構成される。
【０２０９】
別の態様において、システムは、発振信号を生成するように構成された発振装置も含む。送信機は、第１の送信された信号を形成するために、発振信号の少なくとも第１の部分を、第１送信パターンと混合させるように構成される。
【０２１０】
別の態様において、受信機は、第１のベースバンドエコー信号を作り出すために、発振信号の少なくとも第２の部分を受信し、発振信号の少なくとも第２の部分をエコーを表わすエコー信号と混合させるように構成される。
【０２１１】
別の態様において、ベースバンドエコー信号は、サブセットに対する相関値を計算するために、第１のデジタル化されたエコー信号へデジタル化され、相関装置は、第１受信パターンのデジタルビットのサブセットを第１のデジタル化されたエコー信号のサブセットと比較するように構成される。相関値は、第１受信パターンとデジタル化されたエコー信号のデジタルビットとの間の一致を表す。
【０２１２】
別の態様において、デジタル化されたエコー信号のサブセットの少なくとも１つは、相関値に基づいて、対象のサブセットとして相関装置によって識別される。フライトの時間は、第１の送信された信号の送信と第１のデジタル化されたエコー信号の対象のサブセットの発生の送信との間の時間遅延に基づいて決定される。
【０２１３】
別の態様では、送信機はタ−ゲットオブジェクトに向かって電磁気の第２の送信された信号を送信するように構成される。第２の送信された信号は、デジタルビットの第２シーケンスを表わす第２送信パターンを含む。受信機は、ターゲットオブジェクトから反射される第２の送信された信号の第２エコーに基づいた第２のデジタル化されたエコー信号を生成するように構成されている。
【０２１４】
別の態様では、受信機は、第２のデジタル化されたエコー信号の同相（Ｉ）チャネルおよび第２のデジタル化されたエコー信号の直角位相（Ｑ）チャネルを形成するように構成される。システムはまた、一時的な不整合のＩ成分を決定するために、第２受信パターンのＩチャネルを、第２のデジタル化されたエコー信号のＩチャネルと比較するように構成された、ベースバンド処理システムを含むことができる。ベースバンド処理システムはまた、一時的な不整合のＱ成分を決定するために、第２受信パターンのＱチャネルを、第２のデジタル化されたエコー信号のＱチャネルと比較するように構成される。
【０２１５】
別の態様では、フライトの時間に加えられる時間の遅れは、一時的な不整合のＩ成分および一時的な不整合のＱ成分を含む。
【０２１６】
別の態様では、ベースバンド処理システムは、一時的な不整合のＩ成分および一時的な不整合のＱ成分に基づいて、第１エコーおよび第２エコーの相を分解するように構成される。フライトの時間は、分解される相に基づいて計算される。例えば、フライトの時間は、分解される相における識別された又は測定された差に基づいて、予め決められた又は指定された量が増加または減少され得る。
【０２１７】
別の実施形態では、（例えば、ターゲットオブジェクトに対する分離距離の測定のための）別の方法が提供される。方法は、デジタルビットの第１送信パターンを表わす波形を有する第１の送信された信号を送信する工程、および第１の送信された信号の第１の受信されたエコーに基づいて、第１のデジタル化されたエコー信号を生成する工程を含む。第１のデジタル化されたエコー信号は、デジタルビットのデータストリームを表わす波形を含む。方法はまた、１つ以上の他のサブセットよりも第１受信パターンの存在および／または一時的な位置を示す対象のサブセットを識別するために、デジタルビットの第１受信パターンを、第１のデジタル化されたエコー信号におけるデジタルビットのデータストリームの複数の異なるサブセットと比較する工程を含む。方法は、第１の送信された信号のフライトの時間、および第１のデジタル化されたエコー信号におけるデータストリームの開始と、対象のサブセットとの間の時間遅延に基づいた第１の受信されたエコーを識別する工程を含む。
【０２１８】
別の態様では、方法はまた、デジタルビットの第２送信パターンを表わす波形を有する第２の送信された信号を送信する工程、および第２ベースバンドエコー信号の同相（Ｉ）成分と、第２の送信された信号の第２の受信されたエコーに基づく第２ベースバンドエコー信号の直角位相（Ｑ）成分を生成する工程を含む。第２ベースバンドエコー信号は、デジタルビットのデータストリームを表わす波形を含む。方法はまた、デジタルビットのシーケンスを表わす波形の時間遅延した第２受信パターンを、第２ベースバンドエコー信号と比較する工程を含む。第２受信パターンは、対象のサブセットの時間遅延によって、第２の送信された信号の送信の時間から遅延される。第２受信パターンの同相（Ｉ）成分は、第２受信パターンと第２ベースバンドエコー信号との間の第１の一時的な不整合を識別するために、第２ベースバンドエコー信号のＩ成分と比較される。第２受信パターンの同相（Ｑ）成分は、第２受信パターンと第２ベースバンドエコー信号との間の第２の一時的な不整合を識別するために、第２ベースバンドエコー信号のＱ成分と比較される。方法はまた、第１および第２の一時的な不整合によってフライトの時間を増加させる工程を含む。
【０２１９】
別の態様では、方法はまた、第１または第２の一時的な不整合の１つ以上の変化に基づいて、ターゲットオブジェクトの運動を識別する工程を含む。
【０２２０】
別の態様では、第１送信パターンは、第１受信パターンとは異なる。
【０２２１】
上記の記載が、例示的であり、限定的でないと意図されることを理解されたい。例えば、上述の実施形態（および／またはその態様）は、互いに組み合わせて使用されてもよい。さらに、多くの変更が、その範囲から逸脱せずに、特定の状況または材料を本発明の主題の教示に適応させるためになされてもよい。本明細書に記載される材料の寸法およびタイプは、本発明の主題のパラメーターを定義するように意図されているが、決して限定するものではなく、典型的な実施形態である。他の多くの実施形態は、上の記載の検討によって、当業者に明白となる。したがって、本明細書に記載される主題の範囲は、添付の請求項に関して、このような請求項が与えられる同等物の十分な範囲とともに決定されるべきである。添付の請求項において、用語「含む工程（ｉｎｃｌｕｄｉｎｇ）」および「ここで（ｉｎ ｗｈｉｃｈ）」は、それぞれの用語のプレイン・イングリッシュの同等物「含む工程（ｃｏｍｐｒｉｓｉｎｇ）」および「ここで（ｗｈｅｒｅｉｎ）」として使用される。その上、以下の請求項において、用語「第１」、「第２」および「第３」などは、単にラベルとして使用され、それらのオブジェクトに対する数の必要条件を課すようには意図されない。さらに、以下の請求項の限定は、ミーンズ・プラス・ファンクション（ｍｅａｎｓ−ｐｌｕｓ−ｆｕｎｃｔｉｏｎ）のフォーマットでは書かれておらず、そのような請求項の限定が、句「〜のための手段（ｍｅａｎｓ ｆｏｒ）」またその後にさらなる構造を欠く機能の記述を明白に使用しない限り及び使用するまで、アメリカ合衆国法典第３５巻第１１２条第６パラグラフに基づいて解釈されるようには意図されていない。
【０２２２】
このリトゥン・ディスクリプション（ｗｒｉｔｔｅｎ ｄｅｓｃｒｉｐｔｉｏｎ）は、ベストモード（ｂｅｓｔ ｍｏｄｅ）を含む、本発明の主題のいくつかの実施形態を開示するための、およびまた当業者が、任意の装置またはシステムを製造し使用し、任意の組み込まれた方法を実行することを含む、本明細書に開示される実施形態を実施することを可能にするための例を使用する。主題の特許可能な範囲は、請求項によって定義され、当業者が想到する他の例を含んでもよい。このような他の例は、請求項の文言通りの（ｌｉｔｅｒａｌ）用語とは異ならない構造要素を有する場合、または請求項の文言通りの用語との非実質的な（ｉｎｓｕｂｓｔａｎｔｉａｌ）違いを有する同等の構造要素を含む場合に、請求項の範囲内にあるように意図される。
【０２２３】
開示される主題の特定の実施形態の前述の記載は、添付の図面と併用して参照されるときに一層よく理解されるであろう。図が様々な実施形態の機能的ブロックの図を示す程度まで、機能的ブロックは、ハードウェア回路間の分離（ｄｉｖｉｓｉｏｎ）を必ずしも示さない。したがって、例えば、機能的ブロック（例えば、プロセッサーまたはメモリ）の１つ以上は、ハード単体（例えば、汎用信号プロセッサー、マイクロコントローラ−、ランダムアクセスメモリ、ハードディスクなど）で実施されてもよい。同様に、プログラムは、例えば、スタンドアロンプログラムであってもよく、オペレーティングシステムにおいてサブルーチンとして組み込まれてもよく、インストールされたソフトウェアパッケージにおける機能であってもよい。様々な実施形態は、図面で示される配置および手段（ｉｎｓｔｒｕｍｅｎｔａｌｉｔｙ）に限定されない。
【０２２４】
本明細書で使用されるように、単数形で詳述される及び単語「ａ」また「ａｎ」で進められる要素または工程は、明確に述べられていない限り、複数の前記要素または工程を排除しないと理解されたい。さらに、本発明の主題の「１つの実施形態」への言及は、詳述される特徴も組み込む追加の実施形態の存在を排除すると解釈されるようには意図されない。その上、明示的に反対に（ｔｏ ｔｈｅ ｃｏｎｔｒａｒｙ）述べられない限り、特定の特性を有する要素または複数の要素を「含む（ｃｏｍｐｒｉｓｉｎｇ）」「含む（ｉｎｃｌｕｄｉｎｇ）」、または「有する（ｈａｖｉｎｇ）」実施形態は、その特性を有していない追加のこのような要素を含んでもよい。
【０２２５】
本明細書に関係する主題の精神および範囲から逸脱することなく、上述のシステムおよび方法において特定の変更がなされるため、上述の又は添付の図面で示される主題のすべては、本明細書の本発明概念を例示する例として単に理解されるものとし、開示される主題を限定するものとして解釈されないものとすることが意図される。
【図３Ａ】
0006021189.tif 000005
【図３Ｂ】
0006021189.tif 000006
【図４】
0006021189.tif 000007
【図８】
0006021189.tif 000008
【図９】
0006021189.tif 000009
【図１０】
0006021189.tif 000010
【図１１】
0006021189.tif 000011
【図１３】
0006021189.tif 000012
【図１４】
0006021189.tif 000013
【図１８】
0006021189.tif 000014
【図１９】
0006021189.tif 000015
【図２１】
0006021189.tif 000016
【図２２】
0006021189.tif 000017
【図２３】
0006021189.tif 000018
【図２４】
0006021189.tif 000019
【図２５】
0006021189.tif 000020
【図２８】
0006021189.tif 000021
【図２９】
0006021189.tif 000022
【図３０】
0006021189.tif 000023
【図１】
0006021189.tif 000024
【図２】
0006021189.tif 000025
【図５】
0006021189.tif 000026
【図６】
0006021189.tif 000027
【図７】
0006021189.tif 000028
【図１２】
0006021189.tif 000029
【図１５】
0006021189.tif 000030
【図１６】
0006021189.tif 000031
【図１７】
0006021189.tif 000032
【図２０】
0006021189.tif 000033
【図２６】
0006021189.tif 000034
【図２７Ａ】
0006021189.tif 000035
【図２７Ｂ】
0006021189.tif 000036